(57)【要約】【課題】駆動電圧のばらつきを抑制する。【解決手段】第１のモードになると、オペアンプA105-1は、デコーダD103-1によって出力された２つの選択電圧ＶＡ，ＶＢを受け、生成した駆動電圧を出力ノードN100-1へ出力する。また、オペアンプA105-2は、デコーダD103-2によって出力された２つの選択電圧ＶＡ，ＶＢを受け、生成した駆動電圧を出力ノードN100-2に出力する。一方、第２のモードになると、オペアンプA105-1は、デコーダD103-2によって出力された２つの選択電圧ＶＡ，ＶＢを受け、生成した駆動電圧を出力ノードN100-2へ出力する。また、オペアンプA105-2は、デコーダD103-1によって出力された２つの選択電圧ＶＡ，ＶＢを受け、生成した駆動電圧を出力ノードN100-1へ出力する。【選択図】図１
2007101630.tif 000002
【特許請求の範囲】
【請求項１】
第１の階調データを受けて２つの選択電圧を出力する第１のデコーダと、
第２の階調データを受けて２つの選択電圧を出力する第２のデコーダと、
第１および第２の差動増幅回路と、
前記第１および第２のデコーダのうち一方を前記第１の差動増幅回路に対応付け、かつ、他方を前記第２の差動増幅回路に対応付ける第１の接続切換回路と、
前記第１の接続切換回路による対応付けに連動して、前記第１および第２の差動増幅回路のうち一方を第１の出力ノードに対応付け、かつ、他方を第２の出力ノードに対応付ける出力切換回路とを備え、
前記第１および第２のデコーダの各々は、
与えられた階調データに応じて、複数の階調電圧のうちいずれか１つを選択し当該選択した１つの階調電圧と電圧値が等しい２つの電圧を前記２つの選択電圧として出力するかもしくは、前記複数の階調電圧のうちいずれか２つを選択し当該選択した２つの階調電圧を前記２つの選択電圧として出力し、
前記第１および第２の差動増幅回路の各々は、
前記第１の接続切換回路によって自己に対応付けられたデコーダからの２つの選択電圧を所定の割合で合成することによって駆動電圧を生成し、生成した駆動電圧を前記出力切換回路によって自己に対応付けられた出力ノードへ出力する
ことを特徴とする電圧駆動装置。
【請求項２】
請求項１において、
前記第１の接続切換回路および前記出力切換回路の各々は、第１のモードと第２のモードとを有し、
前記第１のモードでは、
前記第１の接続切換回路は、
前記第１のデコーダを前記第１の差動増幅回路に対応付け、かつ、前記第２のデコーダを前記第２の差動増幅回路に対応付け、
前記出力切換回路は、
前記第１の差動増幅回路を前記第１の出力ノードに対応付け、かつ、前記第２の差動増幅回路を前記第２の出力ノードに対応付け、
前記第２のモードでは、
前記第１の接続切換回路は、
前記第１のデコーダを前記第２の差動増幅回路に対応付け、かつ、前記第２のデコーダを前記第１の差動増幅回路に対応付け、
前記出力切換回路は、
前記第１の差動増幅回路を前記第２の出力ノードに対応付け、かつ、前記第２の差動増幅回路を前記第１の出力ノードに対応付ける
ことを特徴とする電圧駆動装置。
【請求項３】
請求項１において、
前記第１の接続切換回路は、
前記第１のデコーダからの２つの選択電圧を受ける第１の入力部と、
前記第２のデコーダからの２つの選択電圧を受ける第２の入力部と、
前記第１および第２の入力部のうち一方が受けた２つの選択電圧を出力する第１の出力部と、
前記第１および第２の入力部のうち他方が受けた２つの選択電圧を出力する第２の出力部とを含み、
前記第１の差動増幅回路は、
前記第１の接続切換回路の第１の出力部からの２つの選択電圧を受け、
前記第２の差動増幅回路は、
前記第１の接続切換回路の第２の出力部からの２つの選択電圧を受ける
ことを特徴とする電圧駆動装置。
【請求項４】
請求項１において、
前記第１の表示データを取得する第１の出力ラッチと、
前記第２の表示データを取得する第２の出力ラッチと、
第３の表示データを取得する第３の出力ラッチと、
第４の表示データを取得する第４の出力ラッチと、
第５の表示データを取得する第５の出力ラッチと、
第６の表示データを取得する第６の出力ラッチと、
第３〜第６のデコーダと、
前記第１〜第６の出力ラッチと前記第１〜第６のデコーダとを一対一で対応付ける入力切換回路と、
第３〜第６の差動増幅回路と、
前記第３および第４のデコーダのうち一方を前記第３の差動増幅回路に対応付け、かつ、他方を前記第４の差動増幅回路に対応付ける第２の接続切換回路と、
前記第５および第６のデコーダのうち一方を前記第５の差動増幅回路に対応付け、かつ、他方を前記第６の差動増幅回路に対応付ける第３の接続切換回路とを、さらに備え、
前記出力切換回路は、
前記入力切換回路による対応付け，および前記第１〜前記第３の接続切換回路による対応付けに連動して、前記第１〜第６の差動増幅回路と前記第１および第２の出力ノードおよび第３〜第６の出力ノードとを一対一で対応付け、
前記第１〜第６のデコーダの各々は、
前記入力切換回路によって自己に対応付けられた出力ラッチが取得した階調データに応じて、複数の階調電圧のうちいずれか１つを選択し当該選択した１つの階調電圧と電圧値が等しい２つの電圧を２つの選択電圧として出力するかもしくは、前記複数の階調電圧のうちいずれか２つを選択し当該選択した２つの階調電圧を前記２つの選択電圧として出力し、
前記第１および第２の差動増幅回路の各々は、
前記第１の接続切換回路によって自己に対応付けられたデコーダからの２つの選択電圧を所定の割合で合成することによって駆動電圧を生成し、生成した駆動電圧を前記出力切換回路によって自己に対応付けられた出力ノードへ出力し、
前記第３および第４の差動増幅回路の各々は、
前記第２の接続切換回路によって自己に対応付けられたデコーダからの２つの選択電圧を所定の割合で合成することによって駆動電圧を生成し、生成した駆動電圧を前記出力切換回路によって自己に対応付けられた出力ノードへ出力し、
前記第５および第６の差動増幅回路の各々は、
前記第３の接続切換回路によって自己に対応付けられたデコーダからの２つの選択電圧を所定の割合で合成することによって駆動電圧を生成し、生成した駆動電圧を前記出力切換回路によって自己に対応付けられた出力ノードへ出力する
ことを特徴とする電圧駆動装置。
【請求項５】
請求項４において、
前記第１のデコーダと前記第２のデコーダとは、互いに物理的に隣接しており、
前記第１の差動増幅回路と前記第２の差動増幅回路とは、互いに物理的に隣接しており、
前記入力切換回路は、
第１のモードと第２のモードとを有し、
前記第１のモードでは、前記第１の出力ラッチを前記第１のデコーダに対応付け、かつ、前記第２の出力ラッチを前記第２のデコーダに対応付け、
前記第２のモードでは、前記第１の出力ラッチを前記第２のデコーダに対応付け、かつ、前記第２の出力ラッチを前記第１のデコーダに対応付け、
前記第１の接続切換回路は、
第３のモードと第４のモードとを有し、
前記第３のモードでは、前記第１のデコーダを前記第１の差動増幅回路に対応付け、かつ、前記第２のデコーダを前記第２の差動増幅回路に対応付け、
前記第４のモードでは、前記第１のデコーダを前記第２の差動増幅回路に対応付け、かつ、前記第２のデコーダを前記第１の差動増幅回路に対応付け、
前記出力切換回路は、
第５のモードと第６のモードとを有し、
前記第５のモードでは、前記第１の差動増幅回路を前記第１の出力ノードに対応付け、かつ、前記第２の差動増幅回路を前記第２の出力ノードに対応付け、
前記第６のモードでは、前記第１の差動増幅回路を前記第２の出力ノードに対応付け、かつ、前記第２の差動増幅回路を前記第１の出力ノードに対応付け、
前記入力切換回路が第１のモードであり前記第１の接続切換回路が第３のモードであるとき、または、前記入力切換回路が第２のモードであり前記第１の接続切換回路が第４のモードであるときには、前記出力切換回路は第５のモードになり、
前記入力切換回路が第１のモードであり前記第１の接続切換回路が第４のモードであるとき、または、前記入力切換回路が第２のモードであり前記第１の接続切換回路が第３のモードであるときには、前記出力切換回路は第６のモードになる
ことを特徴とする電圧駆動装置。
【請求項６】
請求項１において、
前記第１の階調データを取得する第１の入力ラッチと、
前記第２の階調データを取得する第２の入力ラッチと、
第３の階調データを取得する第３の入力ラッチと、
第４の階調データを取得する第４の入力ラッチと、
第５の階調データを取得する第５の入力ラッチと、
第６の階調データを取得する第６の入力ラッチと、
前記第１のデコーダに対応する第１の出力ラッチと、
前記第２のデコーダに対応する第２の出力ラッチと、
第３〜第６の出力ラッチと、
前記第１〜第６の入力ラッチと前記第１〜第６の出力ラッチとを一対一で対応付ける入力切換回路と、
前記第３〜第６のラッチと一対一で対応する第３〜第６のデコーダと、
第３〜第６の差動増幅回路と、
前記第３および第４のデコーダのうち一方を前記第３の差動増幅回路に対応付け、かつ、他方を前記第４の差動増幅回路に対応付ける第２の接続切換回路と、
前記第５および第６のデコーダのうち一方を前記第５の差動増幅回路に対応付け、かつ、他方を前記第６の差動増幅回路に対応付ける第３の接続切換回路とを、さらに備え、
前記出力切換回路は、
前記入力切換回路による対応付け，および前記第１〜前記第３の接続切換回路による対応付けに連動して、前記第１〜第６の差動増幅回路と前記第１および第２の出力ノードおよび第３〜第６の出力ノードとを一対一で対応付け、
前記第１〜第６の出力ラッチの各々は、
前記接続切換回路によって対応付けられた入力ラッチが取得した表示データを、所定タイミングに同期して取得し、
前記第１〜第６のデコーダの各々は、
前記入力切換回路によって自己に対応付けられた出力ラッチが取得した階調データに応じて、複数の階調電圧のうちいずれか１つを選択し当該選択した１つの階調電圧と電圧値が等しい２つの電圧を２つの選択電圧として出力するかもしくは、前記複数の階調電圧のうちいずれか２つを選択し当該選択した２つの階調電圧を前記２つの選択電圧として出力し、
前記第１および第２の差動増幅回路の各々は、
前記第１の接続切換回路によって自己に対応付けられたデコーダからの２つの選択電圧を所定の割合で合成することによって駆動電圧を生成し、生成した駆動電圧を前記出力切換回路によって自己に対応付けられた出力ノードへ出力し、
前記第３および第４の差動増幅回路の各々は、
前記第２の接続切換回路によって自己に対応付けられたデコーダからの２つの選択電圧を所定の割合で合成することによって駆動電圧を生成し、生成した駆動電圧を前記出力切換回路によって自己に対応付けられた出力ノードへ出力し、
前記第５および第６の差動増幅回路の各々は、
前記第１の接続切換回路によって自己に対応付けられたデコーダからの２つの選択電圧を所定の割合で合成することによって駆動電圧を生成し、生成した駆動電圧を前記出力切換回路によって対応付けられた出力ノードへ出力する
ことを特徴とする電圧駆動装置。
【請求項７】
請求項６において、
前記第１のデコーダと前記第２のデコーダとは、互いに物理的に隣接しており、
前記第１の差動増幅回路と前記第２の差動増幅回路とは、互いに物理的に隣接しており、
前記入力切換回路は、
第１のモードと第２のモードとを有し、
前記第１のモードでは、前記第１の入力ラッチを前記第１の出力ラッチに対応付け、かつ、前記第２の入力ラッチを前記第２の出力ラッチに対応付け、
前記第２のモードでは、前記第１の入力ラッチを前記第２の出力ラッチに対応付け、かつ、前記第２の入力ラッチを前記第１の出力ラッチに対応付け、
前記第１の接続切換回路は、
第３のモードと第４のモードとを有し、
前記第３のモードでは、前記第１のデコーダを前記第１の差動増幅回路に対応付け、かつ、前記第２のデコーダを前記第２の差動増幅回路に対応付け、
前記第４のモードでは、前記第１のデコーダを前記第２の差動増幅回路に対応付け、かつ、前記第２のデコーダを前記第１の差動増幅回路に対応付け、
前記出力切換回路は、
第５のモードと第６のモードとを有し、
前記第５のモードでは、前記第１の差動増幅回路を前記第１の出力ノードに対応付け、かつ、前記第２の差動増幅回路を前記第２の出力ノードに対応付け、
前記第６のモードでは、前記第１の差動増幅回路を前記第２の出力ノードに対応付け、かつ、前記第２の差動増幅回路を前記第１の出力ノードに対応付け、
前記入力切換回路が第１のモードであり前記第１の接続切換回路が第３のモードであるとき、または、前記入力切換回路が第２のモードであり前記第１の接続切換回路が第４のモードであるときには、前記出力切換回路は第５のモードになり、
前記入力切換回路が第１のモードであり前記第１の接続切換回路が第４のモードであるとき、または、前記入力切換回路が第２のモードであり前記第１の接続切換回路が第３のモードであるときには、前記出力切換回路は第６のモードになる
ことを特徴とする電圧駆動装置。
【請求項８】
請求項１，請求項４，請求項６のいずれか１つにおいて、
前記第１および第２のデコーダの各々は、
前記２つの選択電圧のうち一方を出力する第１の出力端子と、
前記２つの選択電圧のうち他方を出力する第２の出力端子と有し、
前記第１および第２の差動増幅回路の各々は、
第１および第２の入力端子を有し、かつ、当該第１の入力端子に入力された選択電圧と当該第２の入力端子に入力された選択電圧とを所定の割合で合成することによって駆動電圧を生成し、
前記装置は、さらに、
前記第１および第２のデコーダのうち一方と前記第１の接続切換回路によって当該デコーダに対応付けられた差動増幅回路とにおいて、当該デコーダの第１および第２の出力端子のうち一方から出力される選択電圧を当該差動増幅回路の第１の入力端子に供給し、かつ、他方から出力される選択電圧を当該差動増幅回路の第２の入力端子に供給する第１の供給切換回路を備える
ことを特徴とする電圧駆動装置。
【請求項９】
請求項８において、
前記第１の供給切換回路は、
第１のモードと第２のモードとを有し、
前記第１のモードでは、
前記第１および第２のデコーダのうち一方と前記第１の接続切換回路によって当該デコーダに対応付けられた差動増幅回路とにおいて、当該デコーダの第１の出力端子から供給される選択電圧を当該差動増幅回路の第１の入力端子に供給し、かつ、当該デコーダの第２の出力端子から出力される選択電圧を当該差動増幅回路の第２の入力端子に供給し、
前記第２のモードでは、
前記第１および第２のデコーダのうち一方と前記接続切換回路によって当該デコーダに対応付けられた差動増幅回路とにおいて、当該デコーダの第１の出力端子から供給される選択電圧を当該差動増幅回路の第２の入力端子に供給し、かつ、当該デコーダの第２の出力端子から出力される選択電圧を当該差動増幅回路の第１の入力端子に供給する
ことを特徴とする電圧駆動装置。
【請求項１０】
請求項８において、
前記第１および第２のデコーダのうち他方と前記第１の接続切換回路によって当該デコーダに対応付けられた差動増幅回路とにおいて、当該デコーダの第１および第２の出力端子のうち一方から出力される選択電圧を当該差動増幅回路の第１の入力端子に供給し、かつ、他方から出力される選択電圧を当該差動増幅回路の第２の入力端子に供給する第２の供給切換回路を、さらに備える
ことを特徴とする電圧駆動装置。
【請求項１１】
階調データを受けて２つの選択電圧を生成し、生成した２つの選択電圧のうち一方を第１の出力端子から出力し他方を第２の出力端子から出力するデコーダと、
第１および第２の入力端子を有し、当該第１の入力端子に入力された電圧および当該第２の入力端子に入力された電圧を所定の割合で合成することによって駆動電圧を生成し、生成した駆動電圧を出力する差動増幅回路と、
前記デコーダの第１および第２の出力端子のうち一方から出力される選択電圧を前記差動増幅回路の第１の入力端子に供給し、かつ、他方から出力される選択電圧を前記差動増幅回路の第２の入力端子に供給する供給切換回路とを備え、
前記デコーダは、
与えられた階調データに応じて、複数の階調電圧のうちいずれか１つを選択し当該選択した１つの階調電圧と電圧値が等しい２つの電圧を前記２つの選択電圧として出力するかもしくは、前記複数の階調電圧のうちいずれか２つを選択し当該選択した２つの階調電圧を前記２つの選択電圧として出力する
ことを特徴とする電圧駆動装置。
【請求項１２】
請求項１１において、
前記供給切換回路は、
第１のモードと第２のモードとを有し、
前記第１のモードでは、
前記デコーダの第１の出力端子から供給される選択電圧を前記差動増幅回路の第１の入力端子に供給し、かつ、前記デコーダの第２の出力端子から出力される選択電圧を前記差動増幅回路の第２の入力端子に供給し、
前記第２のモードでは、
前記デコーダの第１の出力端子から供給される選択電圧を前記差動増幅回路の第２の入力端子に供給し、かつ、前記デコーダの第２の出力端子から出力される選択電圧を前記差動増幅回路の第１の入力端子に供給する
ことを特徴とする電圧駆動装置。
【発明の詳細な説明】
【技術分野】
【０００１】
この発明は、階調データに応じた駆動電圧を出力する電圧駆動装置に関し、さらに詳しくは、電圧駆動型表示パネル等に用いられる表示ドライバに関する。
【背景技術】
【０００２】
近年、フラットパネルディスプレイは大画面化，高精細化，多階調化するとともに、薄型軽量化および低コスト化が進んできている。そのような背景の中で、表示用ドライバは、複数個の出力端子間のばらつきを低減することで、表示画質の均一性を高める性能が求められている。表示パネルに表示する多階調化による階調数の増加にともなって、階調電圧を選択するデコーダの回路面積は増大する。例えば、表示データの階調数が「６ビット」であるときを基準とすると、デコーダの回路面積は、表示データの階調数が「８ビット」であるときには４倍になり、表示データの階調数が「１０ビット」であるときには８倍となる。階調数の増加に伴うデコーダの回路面積の増大やその他の回路面積の増大にともなって、コストが増大してしまう。
【０００３】
このような課題に対処すべく、１つの表示データからデコーダで２つの階調電圧を選択し、そのデコーダによって選択された２つの階調電圧を２入力１出力を有するオペアンプ回路を用いて１つの階調電圧を生成して出力する手法がある。この手法によれば、デコーダの回路面積を増加させることなく階調数を増加させることができる。
【０００４】
従来の電圧駆動装置の構成を図１１に示す。従来の電圧駆動装置は、ｎ個（ｎは自然数）の入力ラッチＬ９０１−１〜Ｌ９０１−ｎと、ｎ個の出力ラッチＬ９０２−１〜Ｌ９０２−ｎと、ｎ個のデコーダＤ９０３−１〜Ｄ９０３−ｎと、ｎ個のオペアンプＡ９０５−１〜Ａ９０５−ｎとを備える。ｎ個のデコーダＤ９０３−１〜Ｄ９０３−ｎは、連続して配置されており、隣り合うデコーダは互いに近傍に位置する。ｎ個のオペアンプＡ９０５−１〜Ａ９０５−ｎは連続して配置されており、隣り合うオペアンプは互いに近傍に位置する。ｎ個の出力ノードＮ９００−１〜Ｎ９００−ｎの各々は、表示パネルの１つの画素を駆動するための電圧駆動型素子（図示せず）に接続される。また、ｎ個の表示データＤＡＴＡ（１）〜ＤＡＴＡ（２ｋ）の各々は、表示パネルの１つの画素に対応し、その画素における階調数を示す。この装置では、表示データＤＡＴＡ（１）〜ＤＡＴＡ（２ｋ）に応じた駆動電圧をｎ個の出力ノードＮ９００−１〜Ｎ９００−ｎに供給することによって、表示パネルが駆動する。
【０００５】
次に、図１１に示した電圧駆動装置による動作について説明する。入力ラッチＬ９０１−１は、表示データＤＡＴＡ（１）を取得して、その取得した表示データＤＡＴＡ（１）を出力する。出力ラッチＬ９０２−１は、所定のタイミングに応じて入力ラッチＬ９０２−１から出力された表示データＤＡＴＡ（１）を取得し、取得した表示データＤＡＴＡ（１）を出力する。
【０００６】
デコーダＤ９０３−１は、出力ラッチＬ９０２−１から出力された表示データＤＡＴＡ（１）を受けると、（ｍ／２）個の階調電圧Ｖ0，Ｖ2，Ｖ4，・・・Ｖ(m-3)，Ｖ(m-1の中から１つまたは２つの階調電圧を選択し、選択した１つまたは２つの階調電圧に応じた２つの選択電圧ＶＡ，ＶＢを出力する。選択電圧ＶＡは出力端子９０３−１Ａから出力される。選択電圧ＶＢは出力端子９０３−１Ｂから出力される。階調電圧Ｖ0〜Ｖ(m-1)の各々は、表示データの階調数に対応する。例えば、階調電圧Ｖ0は階調数「０」に対応し、階調電圧Ｖ2は階調数「２」に対応し、階調電圧Ｖ(m-1)は階調数「ｍ−１」に対応する。つまり、デコーダＤ９０３−１〜Ｄ９０３−ｎの各々には、階調数「１」に対応する階調電圧Ｖ１（Ｖ０＜Ｖ１＜Ｖ２）が入力されない。
【０００７】
オペアンプＡ９０５−１は、選択電圧ＶＡを入力端子９０５−１Ｃに受け、選択電圧ＶＢを入力端子９０５−１Ｄに受ける。オペアンプＡ９０５−１は、２つの選択電圧ＶＡ、ＶＢの中間電圧である駆動電圧を出力する。例えば、２つの選択電圧ＶＡ，ＶＢの各々が階調電圧Ｖ0に相当する場合には階調電圧Ｖ0に相当する駆動電圧が出力され、２つの選択電圧ＶＡ，ＶＢのうち一方が階調電圧Ｖ0に相当し他方が階調電圧Ｖ2に相当する場合には階調電圧Ｖ1に相当する駆動電圧が出力される。
【０００８】
オペアンプＡ９０５−１によって出力された駆動電圧は、出力ノードＮ９００−１に出力される。
【０００９】
このように、デコーダＤ９０３−１〜Ｄ９０３−ｎの各々に入力される階調電圧の個数を半減することができるので、デコーダを構成するトランジスタの個数を少なくすることができる。これにより、デコーダの回路面積の増大を抑制することができる。
【特許文献１】特開2001-34234号公報
【特許文献２】特開2000-183747号公報
【特許文献３】特開平9-26765号公報
【発明の開示】
【発明が解決しようとする課題】
【００１０】
しかしながら、各々のデコーダおよび各々のオペアンプと電源（図示せず）とを結ぶ配線は単位長あたりの抵抗値（配線抵抗）を有している。これにより、各々の回路に供給される電源電圧がばらついてしまう。このように、各々の回路に供給される電源電圧がばらついてしまうと、各々の回路から出力される電圧には、この電源電圧のばらつきに応じた誤差が生じる。また、各々のデコーダに階調電圧を供給するための配線も配線抵抗を有しているので、各々のデコーダに供給される階調電圧の電圧値もばらつくおそれがある。例えば、デコーダＤ９０３−１とデコーダＤ９０３−ｎとは互いに物理的に最も離れているので、デコーダＤ９０３−１に供給される階調電圧の電圧値とデコーダＤ９０３−ｎに供給される階調電圧の電圧値とが大きく異なるおそれがある。
【００１１】
また、デコーダとオペアンプとを結ぶ２つの配線（例えば、出力端子９０３−１Ａと入力端子９０５−１Ｃとを結ぶ配線と、出力端子９０３−１Ｂと入力端子９０５−１Ｄとを結ぶ配線）も配線抵抗を有しているので、デコーダから出力される２つの選択電圧ＶＡ，ＶＢにはその配線抵抗に応じた誤差が生じる。
【００１２】
さらに、各々のデコーダおよび各々のオペアンプを構成するトランジスタは、特性ばらつきを有している。各々の回路から出力される電圧には、このトランジスタの特性ばらつきに応じた誤差が生じる。特に、オペアンプの各々では、このトランジスタの特性ばらつきによる影響が顕著になる。
【００１３】
このように、各々の回路に供給される電源電圧のばらつきや、各々の回路を構成するトランジスタの特性ばらつきによって、ｎ個の駆動電圧には、それぞれ誤差が生じてしまう。つまり、ｎ個の駆動電圧がばらついてしまう。この駆動電圧のばらつきによって、表示パネル全体において表示画質が均一にならない。特に、隣接する画素間において駆動電圧のばらつきが大きいと、隣接する画素の明るさが大きく異なってしまい表示画質が著しく劣化してしまう。
【００１４】
本発明は、各々の駆動電圧の誤差を平均化することによって駆動電圧のばらつきを低減して、表示画質の均一性を高めることを目的とする。
【課題を解決するための手段】
【００１５】
この発明の１つの局面に従うと、電圧駆動装置は、第１のデコーダと、第２のデコーダと、第１および第２の差動増幅回路と、第１の接続切換回路と、出力切換回路とを備える。第１のデコーダは、第１の階調データを受けて２つの選択電圧を出力する。第２のデコーダは、第２の階調データを受けて２つの選択電圧を出力する。第１の接続切換回路は、上記第１および第２のデコーダのうち一方を上記第１の差動増幅回路に対応付け、かつ、他方を上記第２の差動増幅回路に対応付ける。出力切換回路は、上記第１の接続切換回路による対応付けに連動して、上記第１および第２の差動増幅回路のうち一方を第１の出力ノードに対応付け、かつ、他方を第２の出力ノードに対応付ける。上記第１および第２のデコーダの各々は、与えられた階調データに応じて、複数の階調電圧のうちいずれか１つを選択しその選択した１つの階調電圧と電圧値が等しい２つの電圧を上記２つの選択電圧として出力するかもしくは、上記複数の階調電圧のうちいずれか２つを選択しその選択した２つの階調電圧を上記２つの選択電圧として出力する。上記第１および第２の差動増幅回路の各々は、上記第１の接続切換回路によって自己に対応付けられたデコーダからの２つの選択電圧を所定の割合で合成することによって駆動電圧を生成し、生成した駆動電圧を上記出力切換回路によって自己に対応付けられた出力ノードへ出力する。
【００１６】
上記電圧駆動装置では、駆動電圧の誤差を平均化することができる。これにより、多階調表示におけるデコーダの回路面積の増大を抑制しつつ表示画質を劣化させずに、従来の電圧駆動装置よりも表示画質の均一性を高めることができる。
【００１７】
好ましくは、上記第１の接続切換回路および上記出力切換回路の各々は、第１のモードと第２のモードとを有する。上記第１のモードでは、上記第１の接続切換回路は、上記第１のデコーダを上記第１の差動増幅回路に対応付け、かつ、上記第２のデコーダを上記第２の差動増幅回路に対応付ける。上記出力切換回路は、上記第１の差動増幅回路を上記第１の出力ノードに対応付け、かつ、上記第２の差動増幅回路を上記第２の出力ノードに対応付ける。一方、上記第２のモードでは、上記第１の接続切換回路は、上記第１のデコーダを上記第２の差動増幅回路に対応付け、かつ、上記第２のデコーダを上記第１の差動増幅回路に対応付ける。上記出力切換回路は、上記第１の差動増幅回路を上記第２の出力ノードに対応付け、かつ、上記第２の差動増幅回路を上記第１の出力ノードに対応付ける。
【００１８】
好ましくは、上記第１の接続切換回路は、第１の入力部と、第２の入力部と、第１の出力部と、第２の出力部とを含む。第１の入力部は、上記第１のデコーダからの２つの選択電圧を受ける。第２の入力部は、上記第２のデコーダからの２つの選択電圧を受ける。第１の出力部は、上記第１および第２の入力部のうち一方が受けた２つの選択電圧を出力する。第２の出力部は、上記第１および第２の入力部のうち他方が受けた２つの選択電圧を出力する。上記第１の差動増幅回路は、上記第１の接続切換回路の第１の出力部からの２つの選択電圧を受ける。上記第２の差動増幅回路は、上記第１の接続切換回路の第２の出力部からの２つの選択電圧を受ける。
【００１９】
好ましくは、上記電圧駆動装置は、第１の出力ラッチと、第２の出力ラッチと、第３の出力ラッチと、第４の出力ラッチと、第５の出力ラッチと、第６の出力ラッチと、第３〜第６のデコーダと、入力切換回路と、第３〜第６の差動増幅回路と、第２の接続切換回路と、第３の接続切換回路とをさらに備える。第１の出力ラッチは、上記第１の表示データを取得する。第２の出力ラッチは、上記第２の表示データを取得する。第３の出力ラッチは、第３の表示データを取得する。第４の出力ラッチは、第４の表示データを取得する。第５の出力ラッチは、第５の表示データを取得する。第６の出力ラッチは、第６の表示データを取得する。入力切換回路は、上記第１〜第６の出力ラッチと上記第１〜第６のデコーダとを一対一で対応付ける。第２の接続切換回路は、上記第３および第４のデコーダのうち一方を上記第３の差動増幅回路に対応付け、かつ、他方を上記第４の差動増幅回路に対応付ける。第３の接続切換回路は、上記第５および第６のデコーダのうち一方を上記第５の差動増幅回路に対応付け、かつ、他方を上記第６の差動増幅回路に対応付ける。上記出力切換回路は、上記入力切換回路による対応付け，および上記第１〜上記第３の接続切換回路による対応付けに連動して、上記第１〜第６の差動増幅回路と上記第１および第２の出力ノードおよび第３〜第６の出力ノードとを一対一で対応付ける。上記第１〜第６のデコーダの各々は、上記入力切換回路によって自己に対応付けられた出力ラッチが取得した階調データに応じて、複数の階調電圧のうちいずれか１つを選択しその選択した１つの階調電圧と電圧値が等しい２つの電圧を２つの選択電圧として出力するかもしくは、上記複数の階調電圧のうちいずれか２つを選択しその選択した２つの階調電圧を上記２つの選択電圧として出力する。上記第１および第２の差動増幅回路の各々は、上記第１の接続切換回路によって自己に対応付けられたデコーダからの２つの選択電圧を所定の割合で合成することによって駆動電圧を生成し、生成した駆動電圧を上記出力切換回路によって自己に対応付けられた出力ノードへ出力する。上記第３および第４の差動増幅回路の各々は、上記第２の接続切換回路によって自己に対応付けられたデコーダからの２つの選択電圧を所定の割合で合成することによって駆動電圧を生成し、生成した駆動電圧を上記出力切換回路によって自己に対応付けられた出力ノードへ出力する。上記第５および第６の差動増幅回路の各々は、上記第３の接続切換回路によって自己に対応付けられたデコーダからの２つの選択電圧を所定の割合で合成することによって駆動電圧を生成し、生成した駆動電圧を上記出力切換回路によって自己に対応付けられた出力ノードへ出力する。
【００２０】
上記電圧駆動装置では、例えば、ＲＧＢ毎に駆動電圧のばらつきを平均化することができる。
【００２１】
好ましくは、上記第１のデコーダと上記第２のデコーダとは、互いに物理的に隣接している。上記第１の差動増幅回路と上記第２の差動増幅回路とは、互いに物理的に隣接している。上記入力切換回路は、第１のモードと第２のモードとを有する。上記第１のモードでは、上記入力切換回路は、上記第１の出力ラッチを上記第１のデコーダに対応付け、かつ、上記第２の出力ラッチを上記第２のデコーダに対応付ける。上記第２のモードでは、上記入力切換回路は、上記第１の出力ラッチを上記第２のデコーダに対応付け、かつ、上記第２の出力ラッチを上記第１のデコーダに対応付ける。上記第１の接続切換回路は、第３のモードと第４のモードとを有する。上記第３のモードでは、上記第１の接続切換回路は、上記第１のデコーダを上記第１の差動増幅回路に対応付け、かつ、上記第２のデコーダを上記第２の差動増幅回路に対応付ける。上記第４のモードでは、上記入力切換回路は、上記第１のデコーダを上記第２の差動増幅回路に対応付け、かつ、上記第２のデコーダを上記第１の差動増幅回路に対応付ける。上記出力切換回路は、第５のモードと第６のモードとを有する。上記第５のモードでは、上記出力切換回路は、上記第１の差動増幅回路を上記第１の出力ノードに対応付け、かつ、上記第２の差動増幅回路を上記第２の出力ノードに対応付ける。上記第６のモードでは、上記出力切換回路は、上記第１の差動増幅回路を上記第２の出力ノードに対応付け、かつ、上記第２の差動増幅回路を上記第１の出力ノードに対応付ける。上記入力切換回路が第１のモードであり上記第１の接続切換回路が第３のモードであるとき、または、上記入力切換回路が第２のモードであり上記第１の接続切換回路が第４のモードであるときには、上記出力切換回路は第５のモードになる。上記入力切換回路が第１のモードであり上記第１の接続切換回路が第４のモードであるとき、または、上記入力切換回路が第２のモードであり上記第１の接続切換回路が第３のモードであるときには、上記出力切換回路は第６のモードになる。
【００２２】
好ましくは、上記電圧駆動装置は、第１〜第６の入力ラッチと、第１および第２の出力ラッチと、第３〜第６の出力ラッチと、入力切換回路と、第３〜第６のデコーダと、第３〜第６の差動増幅回路と、第２の接続切換回路と、第３の接続切換回路とをさらに備える。第１の入力ラッチは、上記第１の階調データを取得する。第２の入力ラッチは、上記第２の階調データを取得する。第３の入力ラッチは、第３の階調データを取得する。第４の入力ラッチは、第４の階調データを取得する。第５の入力ラッチは、第５の階調データを取得する。第６の入力ラッチは、第６の階調データを取得する。第１の出力ラッチは、上記第１のデコーダに対応する。第２の出力ラッチは、上記第２のデコーダに対応する。入力切換回路は、上記第１〜第６の入力ラッチと上記第１〜第６の出力ラッチとを一対一で対応付ける。第３〜第６のデコーダは、上記第３〜第６のラッチと一対一で対応する。第２の接続切換回路は、上記第３および第４のデコーダのうち一方を上記第３の差動増幅回路に対応付け、かつ、他方を上記第４の差動増幅回路に対応付ける。第３の接続切換回路は、上記第５および第６のデコーダのうち一方を上記第５の差動増幅回路に対応付け、かつ、他方を上記第６の差動増幅回路に対応付ける。上記出力切換回路は、上記入力切換回路による対応付け，および上記第１〜上記第３の接続切換回路による対応付けに連動して、上記第１〜第６の差動増幅回路と上記第１および第２の出力ノードおよび第３〜第６の出力ノードとを一対一で対応付ける。上記第１〜第６の出力ラッチの各々は、上記接続切換回路によって対応付けられた入力ラッチが取得した表示データを、所定タイミングに同期して取得する。上記第１〜第６のデコーダの各々は、上記入力切換回路によって自己に対応付けられた出力ラッチが取得した階調データに応じて、複数の階調電圧のうちいずれか１つを選択しその選択した１つの階調電圧と電圧値が等しい２つの電圧を２つの選択電圧として出力するかもしくは、上記複数の階調電圧のうちいずれか２つを選択しその選択した２つの階調電圧を上記２つの選択電圧として出力する。上記第１および第２の差動増幅回路の各々は、上記第１の接続切換回路によって自己に対応付けられたデコーダからの２つの選択電圧を所定の割合で合成することによって駆動電圧を生成し、生成した駆動電圧を上記出力切換回路によって自己に対応付けられた出力ノードへ出力する。上記第３および第４の差動増幅回路の各々は、上記第２の接続切換回路によって自己に対応付けられたデコーダからの２つの選択電圧を所定の割合で合成することによって駆動電圧を生成し、生成した駆動電圧を上記出力切換回路によって自己に対応付けられた出力ノードへ出力する。上記第５および第６の差動増幅回路の各々は、上記第１の接続切換回路によって自己に対応付けられたデコーダからの２つの選択電圧を所定の割合で合成することによって駆動電圧を生成し、生成した駆動電圧を上記出力切換回路によって対応付けられた出力ノードへ出力する。
【００２３】
上記電圧駆動装置では、出力ラッチからデコーダへのデータ転送のタイミングや、出力ノードへの出力のタイミングを制御することができる。したがって、デコーダにおける誤動作する可能性を無くすことができる。
【００２４】
好ましくは、上記第１のデコーダと上記第２のデコーダとは、互いに物理的に隣接している。上記第１の差動増幅回路と上記第２の差動増幅回路とは、互いに物理的に隣接している。上記入力切換回路は、第１のモードと第２のモードとを有する。上記第１のモードでは、上記入力切換回路は、上記第１の入力ラッチを上記第１の出力ラッチに対応付け、かつ、上記第２の入力ラッチを上記第２の出力ラッチに対応付ける。上記第２のモードでは、上記入力切換回路は、上記第１の入力ラッチを上記第２の出力ラッチに対応付け、かつ、上記第２の入力ラッチを上記第１の出力ラッチに対応付ける。上記第１の接続切換回路は、第３のモードと第４のモードとを有する。上記第３のモードでは、上記第１の接続切換回路は、上記第１のデコーダを上記第１の差動増幅回路に対応付け、かつ、上記第２のデコーダを上記第２の差動増幅回路に対応付ける。上記第４のモードでは、上記第１の接続切換回路は、上記第１のデコーダを上記第２の差動増幅回路に対応付け、かつ、上記第２のデコーダを上記第１の差動増幅回路に対応付ける。上記出力切換回路は、第５のモードと第６のモードとを有する。上記第５のモードでは、上記出力切換回路は、上記第１の差動増幅回路を上記第１の出力ノードに対応付け、かつ、上記第２の差動増幅回路を上記第２の出力ノードに対応付ける。上記第６のモードでは、上記出力切換回路は、上記第１の差動増幅回路を上記第２の出力ノードに対応付け、かつ、上記第２の差動増幅回路を上記第１の出力ノードに対応付ける。上記入力切換回路が第１のモードであり上記第１の接続切換回路が第３のモードであるとき、または、上記入力切換回路が第２のモードであり上記第１の接続切換回路が第４のモードであるときには、上記出力切換回路は第５のモードになる。上記入力切換回路が第１のモードであり上記第１の接続切換回路が第４のモードであるとき、または、上記入力切換回路が第２のモードであり上記第１の接続切換回路が第３のモードであるときには、上記出力切換回路は第６のモードになる。
【００２５】
好ましくは、上記第１および第２のデコーダの各々は、上記２つの選択電圧のうち一方を出力する第１の出力端子と、上記２つの選択電圧のうち他方を出力する第２の出力端子と有する。上記第１および第２の差動増幅回路の各々は、第１および第２の入力端子を有し、かつ、その第１の入力端子に入力された選択電圧とその第２の入力端子に入力された選択電圧とを所定の割合で合成することによって駆動電圧を生成する。上記電圧駆動装置は、さらに、第１の供給切換回路を備える。第１の供給切換回路は、上記第１および第２のデコーダのうち一方と上記第１の接続切換回路によってそのデコーダに対応付けられた差動増幅回路とにおいて、そのデコーダの第１および第２の出力端子のうち一方から出力される選択電圧をその差動増幅回路の第１の入力端子に供給し、かつ、他方から出力される選択電圧をその差動増幅回路の第２の入力端子に供給する。
【００２６】
上記電圧駆動装置では、差動増幅回路の２つの入力端子の各々に入力される選択電圧の誤差を平均化することができるので、差動増幅回路から出力される駆動電圧の誤差を小さくすることができる。これにより、従来の電圧駆動装置よりも表示画質の均一性をさらに高めることができる。
【００２７】
好ましくは、上記第１の供給切換回路は、第１のモードと第２のモードとを有する。上記第１のモードでは、上記第１の供給切換回路は、上記第１および第２のデコーダのうち一方と上記第１の接続切換回路によってそのデコーダに対応付けられた差動増幅回路とにおいて、そのデコーダの第１の出力端子から供給される選択電圧をその差動増幅回路の第１の入力端子に供給し、かつ、そのデコーダの第２の出力端子から出力される選択電圧をその差動増幅回路の第２の入力端子に供給する。上記第２のモードでは、上記第１の供給切換回路は、上記第１および第２のデコーダのうち一方と上記接続切換回路によってそのデコーダに対応付けられた差動増幅回路とにおいて、そのデコーダの第１の出力端子から供給される選択電圧をその差動増幅回路の第２の入力端子に供給し、かつ、そのデコーダの第２の出力端子から出力される選択電圧をその差動増幅回路の第１の入力端子に供給する。
【００２８】
好ましくは、上記電圧駆動装置は、第２の供給切換回路をさらに備える。第２の供給切換回路は、上記第１および第２のデコーダのうち他方と上記第１の接続切換回路によってそのデコーダに対応付けられた差動増幅回路とにおいて、そのデコーダの第１および第２の出力端子のうち一方から出力される選択電圧をその差動増幅回路の第１の入力端子に供給し、かつ、他方から出力される選択電圧をその差動増幅回路の第２の入力端子に供給する。
【００２９】
この発明のもう１つの局面に従うと、電圧駆動装置は、デコーダと、差動増幅回路と、供給切換回路とを備える。デコーダは、階調データを受けて２つの選択電圧を生成し、生成した２つの選択電圧のうち一方を第１の出力端子から出力し他方を第２の出力端子から出力する。差動増幅回路は、第１および第２の入力端子を有し、その第１の入力端子に入力された電圧およびその第２の入力端子に入力された電圧を所定の割合で合成することによって駆動電圧を生成し、生成した駆動電圧を出力する。供給切換回路は、上記デコーダの第１および第２の出力端子のうち一方から出力される選択電圧を上記差動増幅回路の第１の入力端子に供給し、かつ、他方から出力される選択電圧を上記差動増幅回路の第２の入力端子に供給する。上記デコーダは、与えられた階調データに応じて、複数の階調電圧のうちいずれか１つを選択しその選択した１つの階調電圧と電圧値が等しい２つの電圧を上記２つの選択電圧として出力するかもしくは、上記複数の階調電圧のうちいずれか２つを選択しその選択した２つの階調電圧を上記２つの選択電圧として出力する。
【００３０】
上記電圧駆動装置では、差動増幅回路の２つの入力端子の各々に入力される選択電圧の誤差を平均化することができるので、差動増幅回路から出力される駆動電圧の誤差を小さくすることができる。これにより、従来の電圧駆動装置よりも表示画質の均一性をさらに高めることができる。
【００３１】
好ましくは、上記供給切換回路は、第１のモードと第２のモードとを有する。上記第１のモードでは、上記供給切換回路は、上記デコーダの第１の出力端子から供給される選択電圧を上記差動増幅回路の第１の入力端子に供給し、かつ、上記デコーダの第２の出力端子から出力される選択電圧を上記差動増幅回路の第２の入力端子に供給する。上記第２のモードでは、上記供給切換回路は、上記デコーダの第１の出力端子から供給される選択電圧を上記差動増幅回路の第２の入力端子に供給し、かつ、上記デコーダの第２の出力端子から出力される選択電圧を上記差動増幅回路の第１の入力端子に供給する。
【発明の効果】
【００３２】
以上のように、駆動電圧の誤差を平均化することができる。これにより、多階調表示におけるデコーダの回路面積の増大を抑制しつつ表示画質を劣化させずに、従来の電圧駆動装置よりも表示画質の均一性を高めることができる。
【発明を実施するための最良の形態】
【００３３】
以下、図面を参照して、この発明の実施の形態を詳しく説明する。なお、図中同一または相当部分には同一の符号を付しその説明は繰り返さない。
【００３４】
（第１の実施形態）
＜構成＞
この発明の第１の実施形態による電圧駆動装置の全体構成を図１に示す。この装置は、２ｋ（ｋは自然数）個の入力ラッチＬ１０１−１〜Ｌ１０１−２ｋと、２ｋ個の出力ラッチＬ１０２−１〜Ｌ１０２−２ｋと、２ｋ個のデコーダＤ１０３−１〜Ｄ１０３−２ｋと、ｋ個の接続スイッチＳＷ１０４（１，２）〜ＳＷ１０４（２ｋ−１，２ｋ）と、２ｋ個のオペアンプＡ１０５−１〜Ａ１０５−２ｋと、ｋ個の出力スイッチＳＷ１０６（１，２）〜ＳＷ１０６（２ｋ−１，２ｋ）とを備える。２ｋ個のデコーダの各々には、（ｍ／２）個の階調電圧Ｖ0，Ｖ2，Ｖ4，・・・Ｖ(m-3)，Ｖ(m-1)が入力される（ｍは自然数であり、階調数である。）。
【００３５】
この装置は、２ｋ個の表示データＤＡＴＡ（１）〜ＤＡＴＡ（２ｋ）に応じた２ｋ個の駆動電圧を２ｋ個の出力ノードＮ１００−１〜Ｎ１００−２ｋに供給することによって、表示パネルを駆動する。２ｋ個の表示データの各々は、表示パネルの１つの画素における階調数を示す。２ｋ個の出力ノードの各々に供給される駆動電圧は、表示パネルのうち１つの画素の駆動するための電圧駆動型素子に供給される。
【００３６】
入力ラッチＬ１０１−１〜Ｌ１０１−２ｋは、表示データＤＡＴＡ（１）〜ＤＡＴＡ（２ｋ）と一対一で対応する。出力ラッチＬ１０２−１〜Ｌ１０２−２ｋは、入力ラッチＬ１０１−１〜Ｌ１０１−２ｋと一対一で対応する。デコーダＤ１０３−１〜Ｄ１０３−２ｋは、出力ラッチＬ１０２−１〜Ｌ１０２−２ｋと一対一で対応する。また、デコーダＤ１０３−１〜Ｄ１０３−２ｋは連続して配置されており、隣り合うデコーダは互いに近傍に位置する。オペアンプＡ１０５−１〜Ａ１０５−２ｋは、デコーダＤ１０３−１〜Ｄ１０３−２ｋと一対一で対応する。また、オペアンプＡ１０５−１〜Ａ１０５−２ｋは連続して配置されており、隣り合うオペアンプは互いに近傍に位置する。接続スイッチＳＷ１０４（１，２）〜ＳＷ１０４（２ｋ−１，２ｋ）の各々は、奇数番目のデコーダおよびオペアンプ，偶数番目のデコーダおよびオペアンプに対応する。例えば、接続スイッチＳＷ１０４（１，２）は、デコーダＤ１０３−１およびオペアンプＡ１０５−１，デコーダＤ１０３−２およびオペアンプＡ１０５−２に対応する。出力スイッチＳＷ１０６（１，２）〜ＳＷ１０６（２ｋ−１，２ｋ−１）の各々は、奇数番目のオペアンプおよび出力ノード，偶数番目のオペアンプおよび出力ノードに対応する。例えば、出力スイッチＳＷ１０６（１，２）は、オペアンプＡ１０５−１および出力ノードＮ１００−１，オペアンプＡ１０５−２および出力ノードＮ１００−２に対応する。出力ノードＮ１００−１〜Ｎ１００−２ｋは、オペアンプＡ１０５−１〜Ａ１０５−２ｋと一対一で対応する。
【００３７】
この電圧駆動装置は、２つの入力ラッチ，２つの出力ラッチ，２つのデコーダ，１つの接続スイッチ，２つのオペアンプ，１つの出力スイッチを最小単位として構成される。例えば、入力ラッチＬ１０１−１，Ｌ１０１−２と、出力ラッチＬ１０２−１，Ｌ１０２−２と、デコーダＤ１０３−１，Ｄ１０３−２と，接続スイッチＳＷ１０４（１，２）と、オペアンプＡ１０５−１，Ａ１０５−２と、出力スイッチＳＷ１０６（１，２）によって１つの最小単位が構成される。
【００３８】
入力ラッチＬ１０１−１〜Ｌ１０１−２ｋの各々は、外部（例えば、表示パネルの制御ＬＳＩ）から入力された表示データＤＡＴＡ（１）〜ＤＡＴＡ（２ｋ）のうち自己に対応する表示データを取得し、取得した表示データを出力する。例えば、入力ラッチＬ１０１−１は、表示データＤＡＴＡ（１）を取得し、取得した表示データＤＡＴＡ（１）を出力する。
【００３９】
出力ラッチＬ１０２−１〜Ｌ１０２−２ｋの各々は、所定のタイミング（例えば、表示パネルを表示させるためのタイミング制御信号）に応じて自己に対応する入力ラッチから出力された表示データを取得し、取得した表示データを出力する。例えば、出力ラッチＬ１０２−１は、入力ラッチＬ１０１−１から出力された表示データＤＡＴＡ（１）を取得し、取得した表示データＤＡＴＡ（１）を出力する。
【００４０】
デコーダＤ１０３−１〜Ｄ１０３−２ｋの各々は、自己に対応する出力ラッチから出力された表示データを受けると、（Ｍ／２）個の階調電圧の中からその表示データに応じた１つまたは２つの階調電圧を選択し、その選択した階調電圧に応じた２つの選択電圧ＶＡ，ＶＢを出力する。例えば、デコーダＤ１０３−１は、出力ラッチＬ１０２−１から出力された表示データＤＡＴＡ（１）に応じた選択電圧ＶＡ，ＶＢを出力する。ここで、デコーダＤ１０３−１は、選択電圧ＶＡを出力端子１０３−１Ａから出力するとともに選択電圧ＶＢを出力端子１０３−１Ｂから出力する。
【００４１】
接続スイッチＳＷ１０４（１，２）〜ＳＷ１０４（２ｋ−１，２ｋ）の各々は、自己に対応する２つのデコーダと２つのオペアンプとの接続を切り換える。例えば、接続スイッチＳＷ１０４（１，２）は、デコーダＤ１０３−１，Ｄ１０３−２のうち一方をオペアンプＡ１０５−１に接続し、他方をオペアンプＡ１０５−２に接続する。
【００４２】
オペアンプＡ１０５−１〜Ａ１０５−２ｋの各々は、自己に対応する接続スイッチによって接続されたデコーダから出力された２つの選択電圧ＶＡ，ＶＢを受ける。オペアンプＡ１０５−１〜Ａ１０５−２ｋの各々は、受け取った２つの選択電圧ＶＡ，ＶＢを所定の割合で合成することによって駆動電圧を生成する。例えば、オペアンプＡ１０５−１は、デコーダＤ１０３−１，Ｄ１０３−２のうち接続スイッチＳＷ１０４（１，２）によって自己に接続されたデコーダからの選択電圧ＶＡ，ＶＢを受ける。
【００４３】
出力スイッチＳＷ１０６（１，２）〜ＳＷ１０６（２ｋ−１，２ｋ）の各々は、自己に対応する２つのオペアンプと２つの出力ノードとの接続を切り換える。例えば、出力スイッチＳＷ１０６（１，２）は、オペアンプＡ１０５−１，Ａ１０５−２のうち一方を出力ノードＮ１００−１に接続し、他方を出力ノードＮ１００−２に接続する。
【００４４】
＜デコーダ＞
次に、デコーダＤ１０３−１について詳細に説明する。
【００４５】
階調数が「ｍ」である場合、一般的なデコーダでは、ｍ個の階調電圧Ｖ0，Ｖ1，Ｖ2，Ｖ3，・・・，Ｖ(m-3)，Ｖ(m-2)，Ｖ(m-1)が入力される。なお、Ｖ0＜Ｖ1＜Ｖ2＜Ｖ3＜・・・＜Ｖ(m-3)＜Ｖ(m-2)＜Ｖ(m-1)である。また、階調電圧Ｖ0〜Ｖ(m-1)の各々は、表示データの階調数に対応する。例えば、階調電圧Ｖ0は階調数「０」に対応し、階調電圧Ｖ1は階調数「１」に対応し、階調電圧Ｖ(m-1)は階調数「ｍ−１」に対応する。
【００４６】
一方、本実施形態におけるデコーダでは、階調数が「ｍ」である場合、（ｍ／２）個の階調電圧Ｖ0，Ｖ2，Ｖ4，・・・Ｖ(m-3)，Ｖ(m-1)が入力される。つまり、階調数「０」に対応する階調電圧Ｖ0は入力されるが、階調数「１」に対応する階調電圧Ｖ1は入力されない。このように、ｍ個の階調電圧のうち奇数の階調数に対応する階調電圧が入力されていない（なお、ここでは、「ｍ−１」は偶数として説明している）。
【００４７】
デコーダＤ１０３−１は、（ｍ／２）個の階調電圧の中から表示データＤＡＴＡ（１）に応じた階調電圧を１つまたは２つ選択する。詳しく述べると、（ｍ／２）個の階調電圧の中に表示データＤＡＴＡ（１）に対応する階調電圧が存在する場合、デコーダＤ１０３−１は、その表示データＤＡＴＡ（１）に対応する階調電圧を選択する。例えば、表示データＤＡＴＡ（１）が示す階調数が「２」である場合、デコーダＤ１０３−１は階調電圧Ｖ2を選択する。そして、デコーダＤ１０３−１は、その選択した階調電圧Ｖ2を出力端子１０３−１Ａ，１０３−１Ｂの各々から出力する。これにより、デコーダＤ１０３−１から２つの選択電圧ＶＡ，ＶＢが出力されたことになる。このとき、選択電圧ＶＡ，ＶＢの各々は階調電圧Ｖ2に相当する。一方、（ｍ／２）個の階調電圧の中に表示データＤＡＴＡ（１）に対応する階調電圧が存在しない場合、デコーダＤ１０３−１は、「（表示データＤＡＴＡ（１）が示す階調数）−１」に対応する階調電圧と「（表示データＤＡＴＡ（１）が示す階調数）＋１」に対応する階調電圧を選択する。例えば、表示データＤＡＴＡ（１）が示す階調数が「１」である場合、デコーダＤ１０３−１は階調電圧Ｖ0と階調電圧Ｖ2とを選択する。そして、デコーダＤ１０３−１は、その選択した２つの階調電圧のうち一方を出力端子１０３−１Ａから出力し、他方を出力端子１０３−１Ｂから出力する。これにより、デコーダＤ１０３−１から２つの選択電圧ＶＡ，ＶＢが出力されたことになる。このとき、選択電圧ＶＡは階調電圧Ｖ0に相当し、選択電圧ＶＢは階調電圧Ｖ2に相当する。
【００４８】
デコーダＤ１０３−２においても、デコーダＤ１０３−１と同様の処理が実行され、出力端子１０３−２Ａ，１０３−２Ｂから選択電圧ＶＡ，ＶＢが出力される。また、他のデコーダにおいても、同様の処理が実行される。つまり、奇数番目のデコーダＤ１０３−（２ｋ−１）において、出力端子１０３−（２ｋ−１）Ａは出力端子１０３−１Ａに相当し、出力端子１０３−（２ｋ−１）Ｂは出力端子１０３−１Ｂに相当する。偶数番目のデコーダＤ１０３−２ｋにおいて、出力端子１０３−２ｋＡは出力端子１０３−２Ａに相当し、出力端子１０３−２ｋＢは出力端子１０３−２Ｂに相当する。
【００４９】
＜接続スイッチ＞
次に、接続スイッチＳＷ１０４（１，２）について詳細に説明する。
【００５０】
接続スイッチＳＷ１０４（１，２）において、端子１ＡはデコーダＤ１０３−１の出力端子１０３−１Ａに接続され、端子１ＢはデコーダＤ１０３−１の出力端子１０３−１Ｂに接続され、端子１ＣはオペアンプＡ１０５−１の入力端子１０５−１Ｃに接続され、端子１ＤはオペアンプＡ１０５−１の入力端子１０５−１Ｄに接続される。また、端子２ＡはデコーダＤ１０３−２の出力端子１０３−２Ａに接続され、端子２ＢはデコーダＤ１０３−２の出力端子１０３−２Ｂに接続され、端子２ＣはオペアンプＡ１０５−２の入力端子１０５−２Ｃに接続され、端子２ＤはオペアンプＡ１０５−２の入力端子１０５−２Ｄに接続される。
【００５１】
さらに、接続スイッチＳＷ１０４（１，２）は、通常モードと交差モードとを有する。通常モードでは、端子１Ａと端子１Ｃとが接続され、端子１Ｂと端子１Ｄとが接続され、端子２Ａと端子２Ｃとが接続され、端子２Ｂと端子２Ｄとが接続される。一方、交差モードでは、端子１Ａと端子２Ｃとが接続され、端子１Ｂと端子２Ｄとが接続され、端子２Ａと端子１Ｃとが接続され、端子２Ｂと端子１Ｄとが接続される。
【００５２】
他の接続スイッチにおいても、接続スイッチＳＷ１０４（１，２）と同様の処理が実行される。例えば、接続スイッチＳＷ１０４（２ｋ−１，２ｋ）において、端子（２ｋ−１）Ａは端子１Ａに相当し、端子（２ｋ−１）Ｂは端子１Ｂに相当し、端子（２ｋ−１）Ｃは端子１Ｃに相当し、端子（２ｋ−１）Ｄは端子１Ｄに相当する。また、端子２ｋＡは端子２Ａに相当し、端子２ｋＢは端子２Ｂに相当し、端子２ｋＣは端子２Ｃに相当し、端子２ｋＤは端子２Ｄに相当する。
【００５３】
＜オペアンプ＞
次に、オペアンプＡ１０５−１について詳細に説明する。
【００５４】
オペアンプＡ１０５−１は、２つの入力端子１０５−１Ｃ，１０５−１Ｄを有する。入力端子１０５−１Ｃは、接続スイッチＳＷ１０４（１，２）の端子１Ｃから出力された選択電圧を入力する。入力端子１０５−１Ｄは、接続スイッチＳＷ１０４（１，２）の端子１Ｄから出力された選択電圧を入力する。ここで、入力端子１０５−１Ｃ，１０５−１Ｄの各々に入力された選択電圧が互いに等しい場合、オペアンプＡ１０５−１は、各々の選択電圧と電圧値が等しい駆動電圧を出力端子から出力する。例えば、２つの選択電圧の各々が階調電圧Ｖ0に相当する場合、オペアンプＡ１０５−１は、階調電圧Ｖ0と電圧値が等しい駆動電圧（階調電圧Ｖ0に相当する駆動電圧）を出力する。一方、入力端子１０５−１Ｃ，１０５−１Ｄの各々に入力された選択電圧が互いに異なる場合、オペアンプＡ１０５−１は、２つの選択電圧を所定の割合で合成して得られる駆動電圧を出力端子から出力する。つまり、オペアンプＡ１０５−１は、電圧値が選択電圧ＶＡよりも大きく選択電圧ＶＢ（ここでは、ＶＡ＜ＶＢ）よりも小さい駆動電圧を出力する。なお、ここでは、オペアンプＡ１０５−１における合成比は「１：１」に設定されているので、オペアンプＡ１０５−１は、２つの選択電圧の中間電圧を出力する。つまり、オペアンプＡ１０５−１は、（「選択電圧ＶＡ」＋「選択電圧ＶＢ」）／２に相当する駆動電圧を出力する。例えば、２つの選択電圧のうち一方が階調電圧Ｖ0に相当し他方が階調電圧Ｖ2に相当する場合、オペアンプＡ１０５−１は、階調電圧Ｖ0と階調電圧Ｖ2との中間電圧である階調電圧Ｖ1に相当する駆動電圧を出力する。
【００５５】
オペアンプＡ１０５−１の内部構成の一例を図２に示す。オペアンプＡ１０５−１は、所謂、２入力１出力のオペアンプである。例えば、入力端子１０５−１Ｃに入力された選択電圧をゲートに受けるトランジスタＴＴ１と入力端子１０５−１Ｄに入力された選択電圧をゲートに受けるトランジスタＴＴ２とのゲート比と調整することによって、２つの選択電圧の合成比を調整することができる。
【００５６】
オペアンプＡ１０５−２においても、オペアンプＡ１０５−１と同様の処理が実行され、入力端子１０５−２Ｃ，１０５−２Ｄに入力された選択電圧を所定の割合で合成して得られる駆動電圧が出力される。また、他のオペアンプにおいても、同様の処理が実行される。つまり、奇数番目のオペアンプＡ１０５−（２ｋ−１）において、入力端子１０５−（２ｋ−１）Ｃは入力端子１０５−１Ｃに相当し、入力端子１０３−（２ｋ−１）Ｃは入力端子１０３−１Ｃに相当する。偶数番目のデコーダＤ１０３−２ｋにおいて、入力端子１０５−２ｋＡは入力端子１０５−２Ａに相当し、入力端子１０５−２ｋＢは入力端子１０５−２Ｂに相当する。
【００５７】
＜出力スイッチ＞
次に、出力スイッチＳＷ１０６（１，２）について詳細に説明する。
【００５８】
出力スイッチＳＷ１０６（１，２）において、端子１ＥはオペアンプＡ１０５−１の出力端子に接続され、端子２ＥはオペアンプＡ１０５−２の出力端子に接続され、端子１Ｆは出力ノードＮ１００−１に接続され、端子２Ｆは出力ノードＮ１００−２に接続される。
【００５９】
さらに、出力スイッチＳＷ１０６（１，２）は、通常モードと交差モードとを有する。通常モードでは、端子１Ｅと端子１Ｆとが接続され、端子２Ｅと端子２Ｆとが接続される。一方、交差モードでは、端子１Ｅと端子２Ｆとが接続され、端子２Ｅと端子１Ｆとが接続される。
【００６０】
他の出力スイッチにおいても、出力スイッチＳＷ１０６（１，２）と同様の処理が実行される。例えば、出力スイッチＳＷ１０６（２ｋ−１，２ｋ）において、端子（２ｋ−１）Ｅは端子１Ｅに対応し、端子（２ｋ−１）Ｆは端子１Ｆに対応する。また、端子２ｋＥは端子２Ｅに対応し、端子２ｋＦは端子２Ｆに対応する。
【００６１】
＜モード切換＞
出力スイッチＳＷ１０６（１，２）〜ＳＷ１０６（２ｋ−１，２ｋ）の各々によるモード切換は、その出力スイッチに対応する接続スイッチＳＷ１０４（１，２）〜ＳＷ１０４（２ｋ−１，２ｋ）によるモード切換と連動して実行される。つまり、接続スイッチＳＷ１０４（１，２）が通常モードになると出力スイッチＳＷ１０６（１，２）も通常モードになり、接続スイッチＳＷ１０４（１，２）が交差モードになると出力スイッチＳＷ１０６（１，２）も交差モードになる。また、モード切換は、表示パネルのフレームの切り換わりに応じて切り換えても良いし、表示パネルのラインの切り換わりに応じて切り換えても良い。
【００６２】
＜動作＞
次に、図１に示した電圧駆動装置による動作について説明する。なお、ここでは、代表として、表示データＤＡＴＡ（１），ＤＡＴＡ（２）に関連する動作について説明する。
【００６３】
〔通常モード〕
通常モードになると、接続スイッチＳＷ１０４（１，２）では、端子１Ａは端子１Ｃに接続され、端子１Ｂは端子１Ｄに接続され、端子２Ａは端子２Ｃに接続され、端子２Ｂは端子２Ｄに接続される。したがって、オペアンプＡ１０５−１はデコーダＤ１０３−１からの２つの選択電圧に応じた駆動電圧を生成し、オペアンプＡ１０５−２はデコーダＤ１０３−２からの２つの選択電圧に応じた駆動電圧を生成する。
【００６４】
また、出力スイッチＳＷ１０６（１，２）では、端子１Ｅは端子１Ｆに接続され、端子２Ｅは端子２Ｆに接続される。これにより、オペアンプＡ１０５−１によって生成された駆動電圧は出力ノードＮ１００−１に供給され、オペアンプＡ１０５−２によって生成された駆動電圧は出力ノードＮ１００−２に供給される。
【００６５】
このように、通常モードでは、表示データＤＡＴＡ（１）に応じた駆動電圧が「オペアンプＡ１０５−１」によって生成され、表示データＤＡＴＡ（２）に応じた駆動電圧が「オペアンプＡ１０５−２」によって生成される。
【００６６】
〔交差モード〕
交差モードになると、接続スイッチＳＷ１０４（１，２）では、端子１Ａは端子２Ｃに接続され、端子１Ｂは端子２Ｄに接続され、端子２Ａは端子１Ｃに接続され、端子２Ｂは端子１Ｄに接続される。したがって、オペアンプＡ１０５−１はデコーダＤ１０３−２からの２つの選択電圧に応じた駆動電圧を生成し、オペアンプＡ１０５−２はデコーダＤ１０３−１からの２つの選択電圧に応じた駆動電圧を生成する。
【００６７】
また、出力スイッチＳＷ１０６（１，２）では、端子１Ｅは端子２Ｆに接続され、端子２Ｅは端子１Ｆに接続される。これにより、オペアンプＡ１０５−１によって生成された駆動電圧は出力ノードＮ１００−２に供給され、オペアンプＡ１０５−２によって生成された駆動電圧は出力ノードＮ１００−１に供給される。
【００６８】
このように、交差モードでは、表示データＤＡＴＡ（１）に応じた駆動電圧が「オペアンプＡ１０５−２」によって生成され、表示データＤＡＴＡ（２）に応じた駆動電圧が「オペアンプＡ１０５−１」によって生成される。
【００６９】
＜ばらつき＞
ここで、オペアンプＡ１０５−１から出力される駆動電圧の誤差をΔＶ１、オペアンプＡ１０５−２から出力される駆動電圧の誤差をΔＶ２とすると、
出力ノードＮ１００−１が受ける駆動電圧の誤差＝（ΔＶ１＋ΔＶ２）／２
出力ノードＮ１００−２が受ける駆動電圧の誤差＝（ΔＶ１＋ΔＶ２）／２
となり、出力ノードＮ１００−１，Ｎ１００−２の各々に供給される駆動電圧の誤差は、平均化されて互いに等しくなる。表示画質の均一化を図ることができる。
【００７０】
＜効果＞
以上のように、本実施形態による電圧駆動装置では、２通りの駆動回路の信号経路によって駆動電圧を生成することにより、駆動電圧の誤差を平均化することができる。これにより、多階調表示におけるデコーダの回路面積の増大を抑制しつつ表示画質を劣化させずに、従来の電圧駆動装置よりも表示画質の均一性を高めることができる。
【００７１】
なお、Ｎ個（Ｎは３以上の自然数）の入力ラッチ，Ｎ個の出力ラッチ，Ｎ個のデコーダ，１つの接続スイッチ，Ｎ個のオペアンプ，１つの出力スイッチを最小単位として電圧駆動装置を構成しても同様の効果を得ることができる。
【００７２】
（第２の実施形態）
＜デコーダおよびオペアンプのばらつき＞
デコーダとオペアンプとを結ぶ配線は、単位長あたりの抵抗値を有している。また、デコーダを構成するトランジスタの各々は、拡散プロセスによるばらつきによって特性ばらつきを有している。つまり、オペアンプの２つの入力端子に入力される選択電圧ＶＡ，ＶＢには、それぞれ誤差が生じる。一方、オペアンプを構成するトランジスタも特性ばらつきを有している。したがって、オペアンプの２つの入力端子に入力される選択電圧ＶＡ，ＶＢがばらつくことによって、オペアンプから出力される駆動電圧の誤差がさらに大きくなるおそれがある。
【００７３】
＜構成＞
この発明の第２の実施形態による電圧駆動装置の全体構成を図３に示す。この装置２では、図１に示した電圧駆動装置に加えて、２ｋ個の供給スイッチＳＷ２０１−１〜ＳＷ２０１−２ｋを備える。供給スイッチＳＷ２０１−１〜ＳＷ２０１−２ｋはオペアンプＡ１０５−１〜Ａ１０５−２ｋと一対一で対応する。
【００７４】
供給スイッチＳＷ２０１−１は、接続スイッチＳＷ１０４（１，２）とオペアンプＡ１０５−１との間に接続される。供給スイッチＳＷ２０１−２は、接続スイッチＳＷ１０４（１，２）とオペアンプＡ１０５−２との間に接続される。奇数番目の供給スイッチＳＷ２０１−（２ｋ−１）は、接続スイッチＳＷ１０４（２ｋ−１，２ｋ）とオペアンプＡ１０５−（２ｋ−１）との間に接続される。偶数番目の供給スイッチＳＷ２０１−２ｋは、接続スイッチＳＷ１０４（２ｋ−１，２ｋ）とオペアンプＡ１０５−２ｋとの間に接続される。
【００７５】
＜供給スイッチ＞
供給スイッチＳＷ２０１−１において、端子１Ｗは接続スイッチＳＷ１０４（１，２）の端子１Ｃに接続され、端子１Ｘは接続スイッチＳＷ１０４（１，２）の端子１Ｄに接続される。また、端子１ＹはオペアンプＡ１０５−１の入力端子１０５−１Ｃに接続され、端子１ＺはオペアンプＡ１０５−１の入力端子１０５−１Ｄに接続される。
【００７６】
さらに、供給スイッチＳＷ２０１−１は、通常モードと交差モードとを有する。通常モードでは、端子１Ｗと端子１Ｙとが接続され、端子１Ｘと端子１Ｚとが接続される。一方、交差モードでは、端子１Ｗと端子１Ｚとが接続され、端子１Ｘと端子１Ｙとが接続される。
【００７７】
供給スイッチＳＷ２０１−２においても、供給スイッチＳＷ２０１−１と同様の処理が実行される。端子２Ｗは端子１Ｗに相当し、端子２Ｘは端子１Ｘに相当し、端子２Ｙは端子１Ｙに相当し、端子２Ｚは端子１Ｚに相当する。奇数番目の供給スイッチＳＷ２０１−（２ｋ−１）においても、供給スイッチＳＷ２０１−１と同様の処理が実行される。端子（２ｋ−１）Ｗは端子１Ｗに相当し、端子（２ｋ−１）Ｘは端子１Ｘに相当し、端子（２ｋ−１）Ｙは端子１Ｙに相当し、端子（２ｋ−１）Ｚは端子１Ｚに相当する。偶数番目の供給スイッチＳＷ２０１−２ｋにおいても、供給スイッチＳＷ２０１−２と同様の処理が実行される。端子２ｋＷは端子２Ｗに相当し、端子２ｋＸは端子２Ｘに相当し、端子２ｋＹは端子２Ｙに相当し、端子２ｋＺは端子２Ｚに相当する。
【００７８】
＜モード切換＞
供給スイッチＳＷ２０１−１〜ＳＷ２０１−２ｋにおけるモード切換は、表示パネルのフレームの切り換わりに応じて実行されても良いし、表示パネルのラインの切り換わりに応じて実行されても良い。また、供給スイッチＳＷ２０１−１〜ＳＷ２０１−２ｋにおけるモード切換は、接続スイッチＳＷ１０４（１，２）〜ＳＷ１０４（２ｋ−１，２ｋ）の各々におけるモード切換、および出力スイッチＳＷ１０６（１，２）〜ＳＷ１０６（２ｋ−１，２ｋ）の各々におけるモード切換に必ずしも同期しなくても良い。
【００７９】
＜動作＞
次に、図３に示した電圧駆動装置による動作について説明する。この装置では、図１に示した電圧駆動装置による動作に加えて、以下に記載する処理が実行される。なお、ここでは、代表として、表示データＤＡＴＡ（１）に関連する動作について説明する。
【００８０】
〔通常モード〕
通常モードになると、供給スイッチＳＷ２０１−１では、端子１Ｗと端子１Ｙとが接続され、端子１Ｘと端子１Ｚとが接続される。これにより、オペアンプＡ１０５−１の入力端子１０５−１Ｃには、デコーダＤ１０３−１の出力端子１０３−１ＡまたはデコーダＤ１０３−２の出力端子１０３−２Ａからの選択電圧ＶＡが供給され、オペアンプＡ１０５−１の入力端子１０５−１Ｄには、デコーダＤ１０３−１の出力端子１０３−ＢまたはデコーダＤ１０３−２の出力端子１０３−２Ｂからの選択電圧ＶＢが供給される。
【００８１】
〔交差モード〕
交差モードになると、供給スイッチＳＷ２０１−１では、端子１Ｗと端子１Ｚとが接続され、端子１Ｘと端子１Ｙとが接続される。これにより、オペアンプＡ１０５−１の入力端子１０５−１Ｃには、デコーダＤ１０３−１の出力端子１０３−１ＢまたはデコーダＤ１０３−２の出力端子１０３−２Ｂからの選択電圧ＶＢが供給され、オペアンプＡ１０５−１の入力端子１０５−１Ｄには、デコーダＤ１０３−１の出力端子１０３−１ＡまたはデコーダＤ１０３−２の出力端子１０３−２Ａからの選択電圧ＶＡが供給される。
【００８２】
＜ばらつき＞
ここで、デコーダＤ１０３−１の出力端子１０３−１Ａから出力された選択電圧ＶＡの誤差をΔＶＡとし、デコーダＤ１０３−１の出力端子１０３−１Ｂから出力された選択電圧ＶＢの誤差をΔＶＢとすると、オペアンプＡ１０５−１において、
トランジスタＴＴ１の受ける選択電圧の誤差＝（ΔＶＡ＋ΔＶＢ）／２
トランジスタＴＴ２の受ける選択電圧の誤差＝（ΔＶＡ＋ΔＶＢ）／２
となり、オペアンプＡ１０５−１の２つの入力端子１０５−１Ａ，１０５−１Ｂの各々が受ける選択電圧の誤差はそれぞれ平均化されて等しくなる。
【００８３】
＜効果＞
以上のように、オペアンプの２つの入力端子の各々に入力される選択電圧の誤差を平均化することができるので、オペアンプから出力される駆動電圧の誤差を小さくすることができる。これにより、従来の電圧駆動装置よりも表示画質の均一性をさらに高めることができる。
【００８４】
なお、図４のように、供給スイッチＳＷ２０１−１〜ＳＷ２０１−２ｋが、デコーダＤ１０３−１〜Ｄ１０３−２ｋと接続スイッチＳＷ１０４（１，２）〜ＳＷ１０４（２ｋ−１，２ｋ）との間に接続されていても同様の効果を得ることができる。例えば、供給スイッチＳＷ２０１−１がデコーダＤ１０３−１と接続スイッチＳＷ１０４（１，２）との間に接続されており、供給スイッチＳＷ２０１−２がデコーダＤ１０３−２と接続スイッチＳＷ１０４（１，２）との間に接続されていても同様の効果を得ることができる。
【００８５】
（第３の実施形態）
＜構成＞
この発明の第３の実施形態による電圧駆動装置３の全体構成を図５に示す。この装置は、６つの入力ラッチＬ１０１−１Ｒ，Ｌ１０１−１Ｇ，Ｌ１０１−１Ｂ，Ｌ１０１−２Ｒ，Ｌ１０１−２Ｇ，Ｌ１０１−２Ｂと、６つの出力ラッチＬ１０２−１Ｒ，Ｌ１０２−１Ｇ，Ｌ１０２−１Ｂ、Ｌ１０２−２Ｒ，Ｌ１０２−２Ｇ，Ｌ１０２−２Ｂと、１つの入力スイッチＳＷ３０１と、６つのデコーダＤ１０３−１Ｒ，Ｄ１０３−２Ｒ，Ｄ１０３−２Ｇ，Ｄ１０３−１Ｇ，Ｄ１０３−１Ｂ，Ｄ１０３−２Ｂと、３つの接続スイッチＳＷ１０４Ｒ，ＳＷ１０４Ｇ，ＳＷ１０４Ｂと、６つのオペアンプＡ１０５−１Ｒ，Ａ１０５−２Ｒ，Ａ１０５−２Ｇ，Ａ１０５−１Ｇ，Ａ１０５−１Ｂ，Ａ１０５−２Ｂと、１つの出力スイッチＳＷ３０２とを備える。
【００８６】
この装置では、Ｒ成分を担う画素，Ｇ成分を担う画素，およびＢ成分を担う画素を１つの画素ブロックとする表示パネルにおいて、隣接する２つの画素ブロック（第１画素ブロック，第２画素ブロック）を駆動する。表示データＤＡＴＡ（１Ｒ），ＤＡＴＡ（２Ｒ）は画素ブロックのＲ成分に対応し、表示データＤＡＴＡ（１Ｇ），ＤＡＴＡ（２Ｇ）は画素ブロックのＧ成分に対応し、表示データＤＡＴＡ（１Ｂ），ＤＡＴＡ（２Ｂ）は画素ブロックのＢ成分に対応する。出力ノードＮ１００−１Ｒ，Ｎ１００−２Ｒの各々はＲ成分を担う画素を駆動する電圧駆動型素子に接続され、出力ノードＮ１００−１Ｇ，Ｎ１００−２Ｇの各々はＧ成分を担う画素を駆動する電圧駆動型素子に接続され、出力ノードＮ１００−１Ｂ，Ｎ１００−２Ｂの各々はＢ成分を担う画素を駆動する電圧駆動型素子に接続される。ここでは、表示データＤＡＴＡ（１Ｒ），ＤＡＴＡ（１Ｇ），ＤＡＴＡ（１Ｂ）は第１画素ブロックに対応し、表示データＤＡＴＡ（２Ｒ），ＤＡＴＡ（２Ｇ），ＤＡＴＡ（２Ｂ）は第２画素ブロックに対応する。また、出力ノードＮ１００−１Ｒ，Ｎ１００−１Ｇ，Ｎ１００−１Ｂは第１画素ブロックに対応し、出力ノードＮ１００−２Ｒ，Ｎ１００−２Ｇ，Ｎ１００−２Ｂは第２画素ブロックに対応する。
【００８７】
入力ラッチＬ１０１−１Ｒ〜Ｌ１０１−２Ｂは、表示データＤＡＴＡ（１Ｒ）〜ＤＡＴＡ（２Ｂ）と一対一で対応する。出力ラッチＬ１０２−１Ｒ〜Ｌ１０２−２Ｂは、入力ラッチＬ１０１−１Ｒ〜Ｌ１０１−２Ｂと一対一で対応する。デコーダＤ１０３−１Ｒ〜Ｄ１０３−２Ｂは、出力ラッチＬ１０２−１Ｒ〜Ｌ１０２−２Ｂと一対一で対応する。オペアンプＡ１０５−１Ｒ〜Ａ１０５−２Ｂは、デコーダＤ１０３−１Ｒ〜Ｄ１０３−２Ｂと一対一で対応する。出力ノードＮ１００−１Ｒ〜Ｎ１００−２Ｂは、オペアンプＡ１０５−１Ｒ〜Ａ１０５−２Ｂと一対一で対応する。接続スイッチＳＷ１０４Ｒは、デコーダＤ１０３−１Ｒ，１０３−２Ｒ，およびオペアンプＡ１０５−１Ｒ，Ａ１０５−２Ｒに対応する。接続スイッチＳＷ１０４Ｇは、デコーダＤ１０３−２Ｇ，Ｄ１０３−１Ｇ，およびオペアンプＡ１０５−２Ｇ，Ａ１０５−１Ｇに対応する。接続スイッチＳＷ１０４Ｂは、デコーダＤ１０３−１Ｂ，Ｄ１０３−２Ｂ，およびオペアンプＡ１０５−１Ｂ，Ａ１０５−２Ｂに対応する。
【００８８】
６つの入力ラッチＬ１０１−１Ｒ〜Ｌ１０１−２Ｂの各々は、図１に示した入力ラッチＬ１０１−１と同様である。６つの出力ラッチＬ１０２−１Ｒ〜Ｌ１０２−２Ｂの各々は、図１に示した出力ラッチＬ１０２−１と同様である。
【００８９】
入力スイッチＳＷ３０１は、６つの出力ラッチＬ１０２−１Ｒ〜Ｌ１０２−２Ｂと６つのデコーダＤ１０３−１Ｒ〜Ｄ１０３−２Ｂとの接続を切り換える。
【００９０】
６つのデコーダＤ１０３−１Ｒ〜Ｄ１０３−２Ｂの各々は、図１のデコーダＤ１０３−１と同様である。６つのデコーダＤ１０３−１Ｒ〜Ｄ１０３−２Ｂは連続して配置されており、隣接するデコーダは互いに近傍に位置する。なお、ここでは、表示パネル（図示せず）は、反転駆動方式に従って駆動されるものとする。この場合、デコーダＤ１０３−１Ｒ，Ｄ１０３−２Ｇ，Ｄ１０３−１Ｂの各々は正極性の選択電圧を出力し、デコーダＤ１０３−２Ｒ，Ｄ１０３−１Ｇ，Ｄ１０３−２Ｂの各々は負極性の選択電圧に出力する。
【００９１】
接続スイッチＳＷ１０４Ｒ，ＳＷ１０４Ｇ，ＳＷ１０４Ｂの各々は、図１に示した接続スイッチＳＷ１０４（１，２）と同様である。
【００９２】
６つのオペアンプＡ１０５−１Ｒ〜Ａ１０５−２Ｂの各々は、図１に示したオペアンプＡ１０５−１と同様である。６つのオペアンプＡ１０５−１Ｒ〜Ａ１０５−２Ｂは連続して配置されており、隣接するオペアンプは互いに近傍に位置する。
【００９３】
出力スイッチＳＷ３０２は、６つのオペアンプＡ１０５−１Ｒ〜Ａ１０５−２Ｂと出力ノードＮ１００−１Ｒ〜Ｎ１００−２Ｂとの接続を切り換える。
【００９４】
＜入力スイッチ＞
入力スイッチＳＷ３０１において、端子Ｐ−１Ｒは出力ラッチＬ１０２−１Ｒに接続され、端子Ｐ−１Ｇは出力ラッチＬ１０２−１Ｇに接続され、端子Ｐ−１Ｂは出力ラッチＬ１０２−１Ｂに接続され、端子Ｐ−２Ｒは出力ラッチＬ１０２−２Ｒに接続され、端子Ｐ−２Ｇは出力ラッチＬ１０２−２Ｇに接続され、端子Ｐ−２Ｂは出力ラッチＬ１０２−２Ｂに接続される。また、端子Ｑ−１ＲはデコーダＤ１０３−１Ｒに接続され、端子Ｑ−２ＲはデコーダＤ１０３−２Ｒに接続され、端子Ｑ−２ＧはデコーダＤ１０３−２Ｇに接続され、端子Ｑ−１ＧはデコーダＤ１０３−１Ｇに接続され、端子Ｑ−１ＢはデコーダＤ１０３−１Ｂに接続され、端子Ｑ−２ＢはデコーダＤ１０３−２Ｂに接続される。
【００９５】
さらに、入力スイッチＳＷ３０１は、通常モードと交差モードとを有する。通常モードでは、端子Ｐ−１Ｒと端子Ｑ−１Ｒとが接続され、端子Ｐ−１Ｇと端子Ｑ−１Ｇとが接続され、端子Ｐ−１Ｂと端子Ｑ−１Ｂとが接続され、端子Ｐ−２Ｒと端子Ｑ−２Ｒとが接続され、端子Ｐ−２Ｇと端子Ｑ−２Ｇとが接続され、端子Ｐ−２Ｂと端子Ｑ−２Ｂとが接続される。一方、交差モードでは、端子Ｐ−１Ｒと端子Ｑ−２Ｒとが接続され、端子Ｐ−１Ｇと端子Ｑ−２Ｇとが接続され、端子Ｐ−１Ｂと端子Ｑ−２Ｂとが接続され、端子Ｐ−２Ｒと端子Ｑ−１Ｒとが接続され、端子Ｐ−２Ｇと端子Ｑ−１Ｇとが接続され、端子Ｐ−２Ｂと端子Ｑ−１Ｂとが接続される。
【００９６】
＜出力スイッチ＞
出力スイッチＳＷ３０２において、端子Ｅ−１ＲはオペアンプＡ１０５−１Ｒの出力端子に接続され、端子Ｅ−２ＲはオペアンプＡ１０５−２Ｒの出力端子に接続され、端子Ｅ−２ＧはオペアンプＡ１０５−２Ｇの出力端子に接続され、端子Ｅ−１ＧはオペアンプＡ１０５−１Ｇの出力端子に接続され、端子Ｅ−１ＢはオペアンプＡ１０５−１Ｂの出力端子に接続され、端子Ｅ−２ＢはオペアンプＡ１０５−２Ｂの出力端子に接続される。また、端子Ｆ−１Ｒは出力ノードＮ１００−１Ｒに接続され、端子Ｆ−１Ｇは出力ノードＮ１００−１Ｇに接続され、端子Ｆ−１Ｂは出力ノードＮ１００−１Ｂに接続され、端子Ｆ−２Ｒは出力ノードＮ１００−２Ｒに接続され、端子Ｆ−２Ｇは出力ノードＮ１００−２Ｇに接続され、端子Ｆ−２Ｂは出力ノードＮ１００−２Ｂに接続される。
【００９７】
さらに、出力スイッチＳＷ３０２は、通常モードと交差モードとを有する。通常モードでは、端子Ｅ−１Ｒと端子Ｆ−１Ｒとが接続され、端子Ｅ−２Ｒと端子Ｆ−２Ｒとが接続され、端子Ｅ−２Ｇと端子Ｆ−２Ｇとが接続され、端子Ｅ−１Ｇと端子Ｆ−１Ｇとが接続され、端子Ｅ−１Ｂと端子Ｆ−１Ｂとが接続され、端子Ｅ−２Ｂと端子Ｆ−２Ｂとが接続される。一方、交差モードでは、端子Ｅ−１Ｒと端子Ｆ−２Ｒとが接続され、端子Ｅ−２Ｒと端子Ｆ−１Ｒとが接続され、端子Ｅ−２Ｇと端子Ｆ−１Ｇとが接続され、端子Ｅ−１Ｇと端子Ｆ−２Ｇとが接続され、端子Ｅ−１Ｂと端子Ｆ−２Ｂとが接続され、端子Ｅ−２Ｂと端子Ｆ−１Ｂとが接続される。
【００９８】
＜接続スイッチ＞
図５に示した接続スイッチＳＷ１０４Ｒ，ＳＷ１０４Ｇ，ＳＷ１０４Ｂの内部構成を図６に示す。
【００９９】
接続スイッチＳＷ１０４Ｒにおいて、端子１ＲＡ，１ＲＢはデコーダＤ１０３−１Ｒの出力端子１０３−１ＲＡ，１０３−１ＲＢに接続され、端子１ＲＣ，１ＲＤはオペアンプＡ１０５−１Ｒの入力端子１０５−１ＲＣ，１０５−１ＲＤに接続される。端子２ＲＡ，２ＲＢはデコーダＤ１０３−２Ｒの出力端子１０３−２ＲＡ，１０３−２ＲＢに接続され、端子２ＲＣ，２ＲＤはオペアンプＡ１０５−２Ｒの入力端子１０５−２ＲＣ，１０５−２ＲＤに接続される。
【０１００】
接続スイッチＳＷ１０４Ｇにおいて、端子２ＧＡ，２ＧＢはデコーダＤ１０３−２Ｇの出力端子１０３−２ＧＡ，１０３−２ＧＢに接続され、端子２ＧＣ，２ＧＤはオペアンプＡ１０５−２Ｇの入力端子１０５−２ＧＣ，１０５−２ＧＤに接続される。端子１ＧＡ，１ＧＢはデコーダＤ１０３−１Ｇの出力端子１０３−１ＧＡ，１０３−１ＧＢに接続され、端子１ＧＣ，１ＧＤはオペアンプＡ１０５−１Ｇの入力端子１０５−１ＧＣ，１０５−１ＧＤに接続される。
【０１０１】
接続スイッチＳＷ１０４Ｂにおいて、端子１ＢＡ，１ＢＢはデコーダＤ１０３−１Ｂの出力端子１０３−１ＢＡ，１０３−１ＢＢに接続され、端子１ＢＣ，１ＢＤはオペアンプＡ１０５−１Ｂの入力端子１０５−１ＢＣ，１０５−１ＢＤに接続される。端子２ＢＡ，２ＢＢはデコーダＤ１０３−２Ｂの出力端子１０３−２ＢＡ，１０３−２ＢＢに接続され、端子２ＢＣ，２ＢＤはオペアンプＡ１０５−２Ｂの入力端子１０５−２ＢＣ，１０５−２ＢＤに接続される。
【０１０２】
接続スイッチＳＷ１０４Ｒ〜ＳＷ１０４Ｂの各々では、図１に示した接続スイッチＳＷ１０４（１，２）と同様の処理が実行される。ここで、端子１ＲＡ，２ＧＡ，１ＢＡは端子１Ａに相当し、端子１ＲＢ，２ＧＢ，１ＢＢは端子１Ｂに相当し、端子１ＲＣ，２ＧＣ，１ＢＣは端子１Ｃに相当し、端子１ＲＤ，２ＧＤ，１ＢＤは端子１Ｄに相当する。また、端子２ＲＡ，１ＧＡ，２ＢＡは端子２Ａに相当し、端子２ＲＢ，１ＧＢ，２ＢＢは端子２Ａに相当し、端子２ＲＣ，２ＧＣ，２ＢＣは端子２Ｂに相当し、端子２ＲＤ，２ＧＤ，２ＢＤは端子２Ｄに相当する。
【０１０３】
＜モード切換＞
接続スイッチＳＷ１０４Ｒ，ＳＷ１０４Ｇ，ＳＷ１０４Ｂの各々は、互いに連動して同一のモードになる。例えば、接続スイッチＳＷ１０４Ｒが通常モードであるときには、接続スイッチＳＷ１０４Ｇ，ＳＷ１０４Ｂの各々のモードも通常モードである。
【０１０４】
また、出力スイッチＳＷ３０２によるモード切換は、入力スイッチＳＷ３０１，および接続スイッチＳＷ１０４Ｒ〜ＳＷ１０４Ｂの各々によるモード切換に連動して実行される。つまり、入力スイッチＳＷ３０２が「通常モード」であり接続スイッチＳＷ１０４Ｒ〜ＳＷ１０４Ｂが「通常モード」であるとき、または、入力スイッチＳＷ３０１が「交差モード」であり接続スイッチＳＷ１０４Ｒ〜ＳＷ１０４Ｂが「交差モード」であるときには、出力スイッチＳＷ３０２は「通常モード」である。一方、入力スイッチＳＷ３０１が「通常モード」であり接続スイッチＳＷ１０４Ｒ〜ＳＷ１０４Ｂが「交差モード」であるとき、または、入力スイッチＳＷ３０１が「交差モード」であり接続スイッチＳＷ１０４Ｒ〜ＳＷ１０４Ｂが「通常モード」であるときには、出力スイッチＳＷ３０２は「交差モード」である。
【０１０５】
また、モード切換は、表示パネルのフレームの切り換わりに応じて切り換えても良いし、表示パネルのラインの切り換わりに応じて切り換えても良い。
【０１０６】
＜動作＞
次に、図５に示した電圧駆動装置による動作について説明する。なお、ここでは、代表として、表示データＤＡＴＡ（１Ｒ），ＤＡＴＡ（２Ｒ）に関連する動作について説明する。
【０１０７】
〔ケース１〕
まず、接続スイッチＳＷ１０４Ｒが「通常モード」である場合について説明する。
【０１０８】
このとき、入力スイッチＳＷ３０１が「通常モード」であると、デコーダＤ１０３−１Ｒは、出力ラッチＬ１０２−１Ｒから出力された表示データＤＡＴＡ（１Ｒ）に応じた２つの選択電圧を出力する。オペアンプＡ１０５−１Ｒは、デコーダＤ１０３−１Ｒから出力された２つの選択電圧に応じた駆動電圧を出力する。また、デコーダＤ１０３−２Ｒは、ラッチＬ１０２−２Ｒから出力された表示データＤＡＴＡ（２Ｒ）に応じた２つの選択電圧を出力する。オペアンプＡ１０５−２Ｒは、デコーダＤ１０３−２Ｒから出力された２つの選択電圧に応じた駆動電圧を出力する。このとき、出力スイッチＳＷ３０２は「通常モード」であるので、オペアンプＡ１０５−１Ｒから出力された駆動電圧は、出力ノードＮ１００−１Ｒに供給される。また、オペアンプＡ１０５−２Ｒから出力された駆動電圧は、出力ノードＮ１００−２Ｒに供給される。
【０１０９】
入力スイッチＳＷ３０１が「交差モード」であると、デコーダＤ１０３−１Ｒは、出力ラッチＬ１０２−２Ｒから出力された表示データＤＡＴＡ（２Ｒ）に応じた２つの選択電圧を出力する。オペアンプＡ１０５−１Ｒは、デコーダＤ１０３−１Ｒから出力された２つの選択電圧に応じた駆動電圧を出力する。また、デコーダＤ１０３−２Ｒは、ラッチＬ１０２−１Ｒから出力された表示データＤＡＴＡ（１Ｒ）に応じた２つの選択電圧を出力する。オペアンプＡ１０５−２Ｒは、デコーダＤ１０３−２Ｒから出力された２つの選択電圧に応じた駆動電圧を出力する。このとき、出力スイッチＳＷ３０２は「交差モード」であるので、オペアンプＡ１０５−１Ｒから出力された駆動電圧は、出力ノードＮ１００−２Ｒに供給される。また、オペアンプＡ１０５−２Ｒから出力された駆動電圧は、出力ノードＮ１００−１Ｒに供給される。
【０１１０】
〔ケース２〕
次に、接続スイッチＳＷ１０４Ｒが「交差モード」である場合について説明する。
【０１１１】
入力スイッチＳＷ３０１が「通常モード」であると、デコーダＤ１０３−１Ｒは、出力ラッチＬ１０２−１Ｒから出力された表示データＤＡＴＡ（１Ｒ）に応じた２つの選択電圧を出力する。オペアンプＡ１０５−１Ｒは、デコーダＤ１０３−２Ｒから出力された２つの選択電圧に応じた駆動電圧を出力する。また、デコーダＤ１０３−２Ｒは、ラッチＬ１０２−２Ｒから出力された表示データＤＡＴＡ（２Ｒ）に応じた２つの選択電圧を出力する。オペアンプＡ１０５−２Ｒは、デコーダＤ１０３−１Ｒから出力された２つの選択電圧に応じた駆動電圧を出力する。このとき、出力スイッチＳＷ３０２は「交差モード」であるので、オペアンプＡ１０５−１Ｒから出力された駆動電圧は、出力ノードＮ１００−２Ｒに供給される。また、オペアンプＡ１０５−２Ｒから出力された駆動電圧は、出力ノードＮ１００−１Ｒに供給される。
【０１１２】
入力スイッチＳＷ３０１が「交差モード」であると、デコーダＤ１０３−１Ｒは、出力ラッチＬ１０２−２Ｒから出力された表示データＤＡＴＡ（２Ｒ）に応じた２つの選択電圧を出力する。オペアンプＡ１０５−１Ｒは、デコーダＤ１０３−２Ｒから出力された２つの選択電圧に応じた駆動電圧を出力する。また、デコーダＤ１０３−２Ｒは、ラッチＬ１０２−１Ｒから出力された表示データＤＡＴＡ（１Ｒ）に応じた２つの選択電圧を出力する。オペアンプＡ１０５−２Ｒは、デコーダＤ１０３−１Ｒから出力された２つの選択電圧に応じた駆動電圧を出力する。このとき、出力スイッチＳＷ３０２は「通常モード」であるので、オペアンプＡ１０５−１Ｒから出力された駆動電圧は、出力ノードＮ１００−１Ｒに供給される。また、オペアンプＡ１０５−２Ｒから出力された駆動電圧は、出力ノードＮ１００−２Ｒに供給される。
【０１１３】
このように、いずれのモードにおいても、表示データＤＡＴＡ（１Ｒ）に応じた駆動電圧が出力ノードＮ１００−１Ｒに供給され、表示データＤＡＴＡ（２Ｒ）に応じた駆動電圧が出力ノードＮ１００−２Ｒに供給される。
【０１１４】
＜ばらつき＞
ここで、デコーダＤ１０３−１ＲとデコーダＤ１０３−２Ｒとは互いに隣接しているので、デコーダＤ１０３−１Ｒ，Ｄ１０３−２Ｒの各々において、階調電圧のばらつき，電源電圧のばらつき，およびトランジスタの特性ばらつきによる影響は、互いに大きく異ならない。また、オペアンプＡ１０５−１ＲとオペアンプＡ１０５−２Ｒとは互いに隣接しているので、オペアンプＡ１０５−１Ｒ，Ａ１０５−２Ｒの各々において、電源電圧のばらつきおよびトランジスタの特性ばらつきによる影響は、互いに大きく異ならない。
【０１１５】
デコーダＤ１０３−２Ｇ，Ｄ１０３−１Ｇ（または、Ｄ１０３−１Ｂ，Ｄ１０３−２Ｂ）においても、デコーダＤ１０３−１Ｒ，Ｄ１０３−２Ｒと同様に、階調電圧のばらつき，電源電圧のばらつき，およびトランジスタの特性ばらつきによる影響は、互いに大きく異ならない。また、オペアンプＡ１０５−２Ｇ，Ａ１０５−１Ｇ（または、Ａ１０５−１Ｂ，Ａ１０５−２Ｂ）においても、オペアンプＡ１０５−１Ｒ，Ａ１０５−２Ｒと同様に、電源電圧のばらつきおよびトランジスタの特性ばらつきによる影響は、互いに大きく異ならない。
【０１１６】
＜効果＞
以上のように、ＲＧＢ毎に駆動電圧のばらつきを平均化することができる。
【０１１７】
また、各色成分に対応するデコーダ（およびオペアンプ）を隣接させることによって、隣接する画素ブロックに供給される駆動電圧のばらつきをＲＧＢ毎に抑制することができる。例えば、第１画素ブロックのＲ成分に対応するデコーダＤ１０３−１Ｒとその画素ブロックに隣接する第２画素ブロックのＲ成分に対応するデコーダＤ１０３−２Ｒとを隣接させることによって、第１画素ブロックのＲ成分に対応する駆動電圧と第２画素ブロックのＲ成分に対応する駆動電圧とのばらつきを抑制することができる。これにより、表示画質の均一性をさらに高めることができる。
【０１１８】
なお、本実施形態では、接続スイッチＳＷ１０４Ｒ，ＳＷ１０４Ｇ，ＳＷ１０４Ｂの各々には２つのデコーダと２つのオペアンプとが対応付けられているが、Ｎ個のデコーダとＮ個のオペアンプとが対応付けられていても良い。
【０１１９】
（第４の実施形態）
＜構成＞
この発明の第４の実施形態による電圧駆動装置は、図５に示した電圧駆動装置に加えて、図７に示す６つの供給スイッチＳＷ２０１−１Ｒ，ＳＷ２０１−２Ｒ，ＳＷ２０１−２Ｇ，ＳＷ２０１−１Ｇ，ＳＷ２０１−１Ｂ，ＳＷ２０１−２Ｂを備える。その他の構成は、図５と同様である。供給スイッチＳＷ２０１−１Ｒ〜ＳＷ２０１−２Ｂは、オペアンプＡ１０５−１Ｒ〜Ａ１０５−２Ｂと一対一で対応する。供給スイッチＳＷ２０１−１Ｒ〜ＳＷ２０１−２Ｂの各々は、図３に示した供給スイッチＳＷ２０１−１と同様である。
【０１２０】
＜供給スイッチ＞
供給スイッチＳＷ２０１−１Ｒ〜ＳＷ２０１−２Ｂの内部構成を図７に示す。
【０１２１】
供給スイッチＳＷ２０１−１Ｒは、端子１ＲＷ，１ＲＸ，１ＲＹ，１ＲＺを有し、接続スイッチＳＷ１０４ＲとオペアンプＡ１０５−１Ｒとの間に接続される。供給スイッチＳＷ２０１−２Ｒは、端子２ＲＷ，２ＲＸ，２ＲＹ，２ＲＺを有し、接続スイッチＳＷ１０４ＲとオペアンプＡ１０５−２Ｒとの間に接続される。
【０１２２】
供給スイッチＳＷ２０１−２Ｇは、端子２ＧＷ，２ＧＸ，２ＧＹ，２ＧＺを有し、接続スイッチＳＷ１０４ＧとオペアンプＡ１０５−２Ｇとの間に接続される。供給スイッチＳＷ２０１−１Ｇは、端子１ＧＷ，１ＧＸ，１ＧＹ，１ＧＺを有し、接続スイッチＳＷ１０４ＧとオペアンプＡ１０５−１Ｇとの間に接続される。
【０１２３】
供給スイッチＳＷ２０１−１Ｂは、端子１ＢＷ，１ＢＸ，１ＢＹ，１ＢＺを有し、接続スイッチＳＷ１０４ＢとオペアンプＡ１０５−１Ｂとの間に接続される。供給スイッチＳＷ２０１−２Ｂは、端子２ＢＷ，２ＢＸ，２ＢＹ，２ＢＺを有し、接続スイッチＳＷ１０４ＢとオペアンプＡ１０５−２Ｂとの間に接続される。
【０１２４】
供給スイッチＳＷ２０１−１Ｒ〜ＳＷ２０１−２Ｂは、図３に示した供給スイッチＳＷ２０１−１と同様の処理を実行する。例えば、供給スイッチＳＷ２０１−１Ｒは、通常モードと交差モードとを有する。通常モードでは、端子１ＲＷと端子１ＲＹとが接続され、端子１ＲＸと端子１ＲＺとが接続される。一方、交差モードでは、端子１ＲＷと端子１ＲＺとが接続され、端子１ＲＸと端子１ＲＹとが接続される。
【０１２５】
＜モード切換＞
供給スイッチＳＷ２０１−１Ｒ〜ＳＷ２０１−２Ｂにおけるモード切換は、表示パネルのフレームの切り換わりに応じて実行されても良いし、表示パネルのラインの切り換わりに応じて実行されても良い。また、供給スイッチＳＷ２０１−１Ｒ〜ＳＷ２０１−２Ｂにおけるモード切換は、入力スイッチＳＷ３０１，出力スイッチＳＷ３０２，接続スイッチＳＷ１０４Ｒ〜ＳＷ１０４Ｂの各々におけるモード切換に必ずしも同期しなくても良い。
【０１２６】
＜動作＞
次に、本実施形態の電圧駆動装置による動作について説明する。本実施形態の電圧駆動装置では、図５に示した電圧駆動装置による動作に加えて、以下に記載する処理が実行される。ここで、なお、ここでは、代表として、表示データＤＡＴＡ（１Ｒ）に関連する動作について説明する。
【０１２７】
〔通常モード〕
供給スイッチＳＷ２０１−１Ｒが「通常モード」であるときには、オペアンプＡ１０５−１Ｒの入力端子１０５−１ＲＣには、デコーダＤ１０３−１Ｒの出力端子１０３−１ＲＡまたはデコーダＤ１０３−２Ｒの出力端子１０３−２ＲＡからの選択電圧ＶＡが供給され、オペアンプＡ１０５−１Ｒの入力端子１０５−１ＲＤには、デコーダＤ１０３−１Ｒの出力端子１０３−１ＲＢまたはデコーダＤ１０３−２Ｒの出力端子１０３−２ＲＢからの選択電圧ＶＢが供給される。
【０１２８】
〔交差モード〕
また、供給スイッチＳＷ２０１−１Ｒが「交差モード」である場合、オペアンプＡ１０５−１Ｒの入力端子１０５−１ＲＣには、デコーダＤ１０３−１Ｒの出力端子１０３−１ＲＢまたはデコーダＤ１０３−２Ｒの出力端子１０３−２ＲＢからの選択電圧ＶＢが供給され、オペアンプＡ１０５−１Ｒの入力端子１０５−１ＲＤには、デコーダＤ１０３−１Ｒの出力端子１０３−１ＲＡまたはデコーダＤ１０３−２Ｒの出力端子１０３−２ＲＡからの選択電圧ＶＡが供給される。
【０１２９】
＜効果＞
以上のように、オペアンプの入力端子に入力される選択電圧を平均化することができるので、オペアンプから出力される駆動電圧の誤差を平均化することができる。これにより、従来の電圧駆動装置よりも表示画質の均一性をさらに高めることができる。
【０１３０】
なお、図８のように、供給スイッチＳＷ２０１−１Ｒ〜ＳＷ２０１−２Ｂが、デコーダＤ１０３−１Ｒ〜Ｄ１０３−２Ｂと接続スイッチＳＷ１０４Ｒ〜ＳＷ１０４Ｂとの間に接続されていても同様の効果を得ることができる。例えば、供給スイッチＳＷ２０１−１ＲがデコーダＤ１０３−１Ｒと接続スイッチＳＷ１０４Ｒとの間に接続されており、供給スイッチＳＷ２０１−２ＲがデコーダＤ１０３−２Ｒと接続スイッチＳＷ１０４Ｒとの間に接続されていても良い。
【０１３１】
（第５の実施形態）
＜構成＞
この発明の第５の実施形態による電圧駆動装置の全体構成を図９に示す。この装置では、入力スイッチＳＷ３０１は、入力ラッチＬ１０１−１Ｒ〜Ｌ１０１−２Ｂと出力ラッチＬ１０２−１Ｒ〜Ｌ１０２−２Ｂとの間に接続される。その他の構成は図５と同様である。入力スイッチＳＷ３０１において、端子Ｐ−１Ｒは入力ラッチＬ１０１−１Ｒに接続され、端子Ｐ−１Ｇは入力ラッチＬ１０１−１Ｇに接続され、端子Ｐ−１Ｂは入力ラッチＬ１０１−１Ｂに接続され、端子Ｐ−２Ｒは入力ラッチＬ１０１−２Ｒに接続され、端子Ｐ−２Ｇは入力ラッチＬ１０１−２Ｇに接続され、端子Ｐ−２Ｂは入力ラッチＬ１０１−２Ｂに接続される。また、端子Ｑ−１Ｒは出力ラッチＬ１０２−１Ｒに接続され、端子Ｑ−２Ｒは出力ラッチＬ１０２−２Ｒに接続され、端子Ｑ−２Ｇは出力ラッチＬ１０２−２Ｇに接続され、端子Ｑ−１Ｇは出力ラッチＬ１０２−１Ｇに接続され、端子Ｑ−１Ｂは出力ラッチＬ１０２−１Ｂに接続され、端子Ｑ−２Ｂは出力ラッチＬ１０２−２Ｂに接続される。
【０１３２】
＜動作＞
次に、図９に示した電圧駆動装置による動作について説明する。なお、ここでは、代表として、表示データＤＡＴＡ（１Ｒ），ＤＡＴＡ（２Ｒ）に関連する動作について説明する。
【０１３３】
〔ケース１〕
まず、接続スイッチＳＷ１０４Ｒが「通常モード」である場合について説明する。
【０１３４】
このとき、入力スイッチＳＷ３０１が「通常モード」であると、出力ラッチＬ１０２−１Ｒは、入力ラッチＬ１０１−１Ｒから出力された表示データＤＡＴＡ（１Ｒ）を出力する。オペアンプＡ１０５−１Ｒは、表示データＤＡＴＡ（１Ｒ）に対応する駆動電圧を出力する。また、出力ラッチＬ１０２−２Ｒは、入力ラッチＬ１０１−２Ｒから出力された表示データＤＡＴＡ（２Ｒ）を出力する。オペアンプＡ１０５−２Ｒは、表示データＤＡＴＡ（２Ｒ）に対応する駆動電圧を出力する。このとき、出力スイッチＳＷ３０２は「通常モード」であるので、オペアンプＡ１０５−１Ｒから出力された駆動電圧は、出力ノードＮ１００−１Ｒに供給される。また、オペアンプＡ１０５−２Ｒから出力された駆動電圧は、出力ノードＮ１００−２Ｒに供給される。
【０１３５】
一方、入力スイッチＳＷ３０１が「交差モード」であると、出力ラッチＬ１０２−１Ｒは、入力ラッチＬ１０１−２Ｒから出力された表示データＤＡＴＡ（２Ｒ）を出力する。オペアンプＡ１０５−１Ｒは、表示データＤＡＴＡ（２Ｒ）に対応する駆動電圧を出力する。また、出力ラッチＬ１０２−２Ｒは、入力ラッチＬ１０１−１Ｒから出力された表示データＤＡＴＡ（１Ｒ）を出力する。オペアンプＡ１０５−２Ｒは、表示データＤＡＴＡ（１Ｒ）に対応する駆動電圧を出力する。このとき、出力スイッチＳＷ３０２は「交差モード」であるので、オペアンプＡ１０５−１Ｒから出力された駆動電圧は、出力ノードＮ１００−２Ｒに供給される。また、オペアンプＡ１０５−２Ｒから出力された駆動電圧は、出力ノードＮ１００−１Ｒに供給される。
【０１３６】
〔ケース２〕
まず、接続スイッチＳＷ１０４Ｒが「交差モード」である場合について説明する。
【０１３７】
このとき、入力スイッチＳＷ３０１が「通常モード」であると、出力ラッチＬ１０２−１Ｒは、入力ラッチＬ１０１−１Ｒから出力された表示データＤＡＴＡ（１Ｒ）を出力する。オペアンプＡ１０５−２Ｒは、表示データＤＡＴＡ（１Ｒ）に対応する駆動電圧を出力する。また、出力ラッチＬ１０２−２Ｒは、入力ラッチＬ１０１−２Ｒから出力された表示データＤＡＴＡ（２Ｒ）を出力する。オペアンプＡ１０５−１Ｒは、表示データＤＡＴＡ（２Ｒ）に対応する駆動電圧を出力する。このとき、出力スイッチＳＷ３０２は「交差モード」であるので、オペアンプＡ１０５−１Ｒから出力された駆動電圧は、出力ノードＮ１００−２Ｒに供給される。また、オペアンプＡ１０５−２Ｒから出力された駆動電圧は、出力ノードＮ１００−１Ｒに供給される。
【０１３８】
一方、入力スイッチＳＷ３０１が「交差モード」であると、出力ラッチＬ１０２−１Ｒは、入力ラッチＬ１０１−２Ｒから出力された表示データＤＡＴＡ（２Ｒ）を出力する。オペアンプＡ１０５−２Ｒは、表示データＤＡＴＡ（２Ｒ）に対応する駆動電圧を出力する。また、出力ラッチＬ１０２−２Ｒは、入力ラッチＬ１０１−１Ｒから出力された表示データＤＡＴＡ（１Ｒ）を出力する。オペアンプＡ１０５−１Ｒは、表示データＤＡＴＡ（１Ｒ）に対応する駆動電圧を出力する。このとき、出力スイッチＳＷ３０２は「通常モード」であるので、オペアンプＡ１０５−１Ｒから出力された駆動電圧は、出力ノードＮ１００−１Ｒに供給される。また、オペアンプＡ１０５−２Ｒから出力された駆動電圧は、出力ノードＮ１００−２Ｒに供給される。
【０１３９】
このように、いずれのモードにおいても、表示データＤＡＴＡ（１Ｒ）に応じた駆動電圧が出力ノードＮ１００−１Ｒに供給され、表示データＤＡＴＡ（２Ｒ）に応じた駆動電圧が出力ノードＮ１００−２Ｒに供給される。
【０１４０】
＜効果＞
以上のように、入力スイッチＳＷ３０１を入力ラッチと出力ラッチとの間に接続することによって、出力ラッチからデコーダへのデータ転送のタイミングや、出力ノードへの出力のタイミングを制御することができる。したがって、デコーダにおける誤動作する可能性を無くすことができる。これにより、表示パネルへの安定した出力を実現することができ、より安定した動作を実行する電圧駆動装置を提供することができる。
【０１４１】
なお、図７のように、供給スイッチＳＷ２０１−１Ｒ〜ＳＷ２０１−２Ｂが、接続スイッチＳＷ１０４Ｒ〜ＳＷ１０４ＢとオペアンプＡ１０５−１Ｒ〜Ａ１０５−２Ｂとの間に接続されていても構わない。また、図８のように、供給スイッチＳＷ２０１−１Ｒ〜ＳＷ２０１−２Ｂが、デコーダＤ１０３−１Ｒ〜Ｄ１０３−２Ｂと接続スイッチＳＷ１０４Ｒ〜ＳＷ１０４Ｂとの間に接続されていても構わない。
【０１４２】
（第６の実施形態）
＜構成＞
この発明の第６の実施形態による電圧駆動装置の全体構成を図１０に示す。この装置は、図１に示したｋ個の接続スイッチＳＷ１０４（１，２）〜ＳＷ１０４（２ｋ−１，２ｋ），出力スイッチＳＷ１０６（１，２）〜ＳＷ１０６（２ｋ−１，２ｋ）に代えて、図３に示した２ｋ個の供給スイッチＳＷ２０１−１〜ＳＷ２０１−２ｋを備える。その他の構成は、図１と同様である。
【０１４３】
供給スイッチＳＷ２０１−１において、端子１ＷはデコーダＤ１０３−１の出力端子１０３−１Ａに接続され、端子１ＸはデコーダＤ１０３−１の出力端子１０３−１Ｂに接続され、端子１ＹはオペアンプＡ１０５−１の入力端子１０５−１Ｃに接続され、端子１ＺはオペアンプＡ１０５−１の入力端子１０５−１Ｄに接続される。他の供給スイッチＳＷ２０１−２〜ＳＷ２０１−２ｋにおいても、供給スイッチＳＷ２０１−１と同様に、各々の端子が対応するデコーダの出力端子またはオペアンプの入力端子に接続される。
【０１４４】
この電圧駆動装置では、１つの入力ラッチ，１つの出力ラッチ，１つのデコーダ，１つの供給スイッチ，１つのオペアンプを最小単位として構成される。例えば、入力ラッチＬ１０１−１と、出力ラッチＬ１０２−１と、デコーダＤ１０３−１と，供給スイッチＳＷ２０１−１と、オペアンプＡ１０５−１とによって１つ最小単位が構成される。
【０１４５】
＜動作＞
次に、図１０に示した電圧駆動装置による動作について説明する。なお、ここでは、代表として、表示データＤＡＴＡ（１）に関連する動作について説明する。
【０１４６】
〔通常モード〕
通常モードになると、供給スイッチＳＷ２０１−１では、端子１Ｗと端子１Ｙとが接続され、端子１Ｘと端子１Ｚとが接続される。これにより、オペアンプＡ１０５−１の入力端子１０５−１Ｃには、デコーダＤ１０３−１の出力端子１０３−１Ａからの選択電圧ＶＡが供給され、オペアンプＡ１０５−１の入力端子１０５−１Ｄには、デコーダＤ１０３−１の出力端子１０３−１Ｂからの選択電圧ＶＢが供給される。
【０１４７】
〔交差モード〕
交差モードになると、供給スイッチＳＷ２０１−１では、端子１Ｗと端子１Ｚとが接続され、端子１Ｘと端子１Ｙとが接続される。これにより、オペアンプＡ１０５−１の入力端子１０５−１Ｃには、デコーダＤ１０３−１の出力端子１０３−１Ｂからの選択電圧ＶＢが供給され、オペアンプＡ１０５−１の入力端子１０５−１Ｄには、デコーダＤ１０３−１の出力端子１０３−１Ａからの選択電圧ＶＡが供給される。
【０１４８】
＜ばらつき＞
ここで、デコーダＤ１０３−１の出力端子１０３−１Ａから出力された選択電圧ＶＡの誤差をΔＶＡとし、デコーダＤ１０３−１の出力端子１０３−１Ｂから出力された選択電圧ＶＢの誤差をΔＶＢとすると、オペアンプＡ１０５−１において、
トランジスタＴＴ１の受ける選択電圧の誤差＝（ΔＶＡ＋ΔＶＢ）／２
トランジスタＴＴ２の受ける選択電圧の誤差＝（ΔＶＡ＋ΔＶＢ）／２
となり、オペアンプＡ１０５−１の２つの入力端子１０５−１Ａ，１０５−１Ｂの各々が受ける２つの階調電圧の誤差はそれぞれ平均化されて等しくなる。
【０１４９】
＜効果＞
以上のように、オペアンプの入力端子に入力される選択電圧を平均化することができるので、オペアンプから出力される駆動電圧の誤差を平均化することができる。これにより、従来の電圧駆動装置よりも表示画質の均一性をさらに高めることができる。
【産業上の利用可能性】
【０１５０】
本発明にかかる電圧駆動装置は、液晶パネルの液晶駆動型の表示用ドライバ等に有用である。
【図面の簡単な説明】
【０１５１】
【図１】この発明の第１の実施形態による電圧駆動装置の全体構成を示す図である。
【図２】図１に示したオペアンプの内部構成の一例を示す図である。
【図３】この発明の第２の実施形態による電圧駆動装置の全体構成を示す図である。
【図４】図３に示した電圧駆動装置の変形例を示す図である。
【図５】この発明の第３の実施形態による電圧駆動装置の全体構成を示す図である。
【図６】図５に示した接続スイッチの接続について説明するための図である。
【図７】この発明の第４の実施形態による電圧駆動装置における供給スイッチの接続について説明するための図である。
【図８】この発明の第４の実施形態による電圧駆動装置の変形例を示す図である。
【図９】この発明の第５の実施形態による電圧駆動装置５の全体構成を示す図である。
【図１０】この発明の第６の実施形態による電圧駆動装置６の全体構成を示す図である。
【図１１】従来の電圧駆動装置の全体構成を示す図である。
【符号の説明】
【０１５２】
Ｌ１０１−１〜Ｌ１０１−２ｋ，Ｌ１０１−１Ｒ〜Ｌ１０１−２Ｂ    入力ラッチ
Ｌ１０２−１〜Ｌ１０２−２ｋ，Ｌ１０２−１Ｒ〜Ｌ１０２−２Ｂ    出力ラッチ
Ｄ１０３−１〜Ｄ１０３−２ｋ，Ｄ１０３−１Ｒ〜Ｄ１０３−２Ｂ    デコーダ
ＳＷ１０４（１，２）〜ＳＷ１０４（２ｋ−１，２ｋ），ＳＷ１０４Ｒ，ＳＷ１０４Ｇ，ＳＷ１０４Ｂ    接続スイッチ
Ａ１０５−１〜Ａ１０５−２ｋ，Ａ１０５−１Ｒ〜Ａ１０５−２Ｂ    オペアンプ
ＳＷ１０６（１，２）〜ＳＷ１０６（２ｋ−１，２ｋ），ＳＷ３０２    出力スイッチ
Ｎ１００−１〜Ｎ１００−２ｋ，Ｎ１００−１Ｒ〜Ｎ１００−２Ｂ    出力ノード
ＳＷ２０１−１〜ＳＷ２０１−２ｋ，ＳＷ２０１−１Ｒ〜ＳＷ２０１−２Ｂ    供給スイッチ
ＳＷ３０１    入力スイッチ
【図１】
2007101630.tif 000003
【図２】
2007101630.tif 000004
【図３】
2007101630.tif 000005
【図４】
2007101630.tif 000006
【図５】
2007101630.tif 000007
【図６】
2007101630.tif 000008
【図７】
2007101630.tif 000009
【図８】
2007101630.tif 000010
【図９】
2007101630.tif 000011
【図１０】
2007101630.tif 000012
【図１１】
2007101630.tif 000013